(57)【要約】      （修正有）【課題】ヒトの骨の一部の周りに外科用ケーブルを確保するための外科用ケーブルシステムおよび方法を提供する。 【解決手段】外科用ケーブルシステムは、コネクター２０およびテンショナーを含む。コネクターはコネクター内に配置可能なピン２２を保持するように適合させ、コネクター内に確保することができる。ピンは、ケーブル１０を確保した後、再配置されて、ケーブルがコネクターを通って自由に移動することを可能にすることができる。ケーブルは、ケーブルの両端が互いに垂直または平衡であるようにコネクター内に配置させることができる。テンショナーは、ケーブルの張力を変えるように適合される。ケーブルは、コネクターに通され、ヒトの骨の一部の周りに回され、コネクターに戻され、テンショナーの使用によって張力をかけられ、コネクター内の位置に確保され得る。コネクターは、突出部とロッキング部分とを係合させ、ピンの回転を阻止する。【選択図】図９
2006051377.tif 000002
【特許請求の範囲】
【請求項１】
本体、ここで本体は内部空洞、導管、および突起物を含み、導管は内部空洞と通じており、突起物は開口部を含む；
使用中に骨の一部を係合するためのループを形成するために導管を通るように構成されたケーブル、ここで、ケーブルの一部は使用中に内部空洞の中に延びる；および
突出部を含むピン；
を含む骨固定システムであって、
ピンが、使用中に内部空洞内で、ケーブルの一部を本体に関して確保するための第一位置に配置可能であり、かつピンが、使用中にケーブルが本体に関して移動可能であるように使用中に第二位置に配置可能であり、
そして、ピンの回転が使用中に実質的に妨げられるように、ピンが第一位置にあるときに突出部が開口部内にフィットするように構成されている
ところのシステム。
【請求項２】
導管が本体の中を横方向に通って内部空洞と通じており、かつ導管が内部空洞に関して実質的に垂直に配位している、請求項１に記載のシステム。
【請求項３】
内部空洞が、導管と内部空洞の間に位置する開き口を含み、開き口は、ケーブルの一部が使用中に開き口を通って内部空洞の中に延び得るように位置している、請求項１に記載のシステム。
【請求項４】
ピンが溝をさらに含み、ここで溝はケーブルの直径より実質的に大きい幅を有し、かつ溝はピン上に位置して、使用中にケーブルがピンを通り過ぎて自由に動くことを可能にする、請求項１に記載のシステム。
【請求項５】
ピンが溝をさらに含み、ここで溝は使用中に導管と一直線に並ぶように適合され、そして溝が、使用中にケーブルが導管を通って移動することを可能にするように構成されている、請求項１に記載のシステム。
【請求項６】
ピンが溝をさらに含み、ここで溝は、使用中にピンが第一位置にあるとき、導管に対して実質的に垂直に配位している、請求項１に記載のシステム。
【請求項７】
使用中にケーブルが本体内で確保されるように、ピンがケーブルを導管に対して押しつけるように構成されている、請求項１に記載のシステム。
【請求項８】
ピンが上側部分および下側部分をさらに含み、上側部分が下側部分の直径より実質的に大きい直径を含み、上側部分上に突出部が形成されている、請求項１に記載のシステム。
【請求項９】
ピンが上側部分および下側部分をさらに含み、下側部分が内部空洞の直径より実質的に小さい直径を含む、請求項１に記載のシステム。
【請求項１０】
ピンが上側部分および下側部分をさらに含み、上側部分が内部空洞の直径より実質的に大きい直径を含む、請求項１に記載のシステム。
【請求項１１】
ピンが内部空洞内に確保される、請求項１に記載のシステム。
【請求項１２】
使用中にケーブルの一部を本体に関して確保するために、ピンが第二位置から第一位置へ回転するように構成されている、請求項１に記載のシステム。
【請求項１３】
使用中にケーブルの一部が本体を通って移動することを可能にするために、ピンが第一位置から第二位置へ回転するように構成されている、請求項１に記載のシステム。
【請求項１４】
ピンが第一方向に回転するように構成され、第一方向と反対の方向でのピンの回転を阻止するように突出部が構成されている、請求項１に記載のシステム。
【請求項１５】
ピンが第一方向に回転して第一位置に入るように構成され、ピンが第一位置にあるときに開口部を係合するように突出部が構成され、突出部と開口部との係合が第一方向と反対の方向でのピンの回転を実質的に阻止する、請求項１に記載のシステム。
【請求項１６】
骨がヒトの脊椎骨である、請求項１に記載のシステム。
【請求項１７】
内部空洞、導管、第一突起物および第二突起物を含む本体、ここで、導管は内部空洞と通じており、第一突起物および第二突起物は一緒になって開口部を規定し、内部空洞は本体を通っている；
使用中に骨の一部を係合するためのループを形成するために導管を通るように構成されたケーブル、ここで、ケーブルの一部は使用中に内部空洞の中に延びる；および
上側部分を含むピン、ここで、上側部分は突出部を含む；
を含む骨固定システムであって、
ピンが、使用中に内部空洞内で、ケーブルの一部を本体に関して確保するための第一位置に配置可能であり、かつピンが、使用中にケーブルが本体に関して移動可能であるように、使用中に内部空洞内で第二位置に配置可能であり、
そして、ピンの回転が使用中に実質的に妨げられるように、ピンが第一位置にあるときに突出部が開口部内にフィットするように構成されている
ところのシステム。
【請求項１８】
導管が本体の中を横方向に通って内部空洞と通じており、かつ導管が内部空洞に関して実質的に垂直に配位している、請求項１７に記載のシステム。
【請求項１９】
内部空洞が、導管と内部空洞の間に位置する開き口を含み、開き口は、ケーブルの一部が使用中に開き口を通って内部空洞の中に延び得るように位置している、請求項１７に記載のシステム。
【請求項２０】
ピンが溝をさらに含み、ここで溝はケーブルの直径より実質的に大きい幅を有し、かつ溝はピン上に位置して、使用中にケーブルがピンを通り過ぎて自由に動くことを可能にする、請求項１７に記載のシステム。
【請求項２１】
ピンが溝をさらに含み、ここで溝は使用中に導管と一直線に並ぶように構成され、そして溝は、使用中にケーブルが導管を通って移動することを可能にするように構成されている、請求項１７に記載のシステム。
【請求項２２】
ピンが溝をさらに含み、ここで溝は、使用中にピンが第一位置にあるとき、導管に対して実質的に垂直に向いている、請求項１７に記載のシステム。
【請求項２３】
ピンが下側部分をさらに含み、ここで下側部分は、使用中にケーブルが本体内で確保されるように、ケーブルを導管に対して押しつけるように構成されている、請求項１７に記載のシステム。
【請求項２４】
ピンが下側部分をさらに含み、上側部分が下側部分の直径より実質的に大きい直径を含む、請求項１７に記載のシステム。
【請求項２５】
ピンが下側部分をさらに含み、下側部分が内部空洞の直径より実質的に小さい直径を含む、請求項１７に記載のシステム。
【請求項２６】
ピンの上側部分が内部空洞の直径より実質的に大きい直径を含む、請求項１７に記載のシステム。
【請求項２７】
ピンが内部空洞内に確保されている、請求項１７に記載のシステム。
【請求項２８】
第一突起物および第二突起物が本体の側面で互いに一定の距離を置いて位置している、請求項１７に記載のシステム。
【請求項２９】
使用中にケーブルを本体に関して確保するために、ピンが第二位置から第一位置へ回転するように構成されている、請求項１７に記載のシステム。
【請求項３０】
使用中にケーブルの一部が本体を通って移動することを可能にするために、ピンが第一位置から第二位置へ回転するように構成されている、請求項１７に記載のシステム。
【請求項３１】
ピンが第一方向に回転するように構成され、かつ第一方向と反対の方向でのピンの回転を阻止するように突出部が構成されている、請求項１７に記載のシステム。
【請求項３２】
ピンが第一方向に回転して第一位置に入るように構成され、ピンが第一位置にあるときに開口部を係合するように突出部が構成され、そして突出部と開口部との係合が第一方向と反対の方向でのピンの回転を実質的に阻止する、請求項１７に記載のシステム。
【請求項３３】
内部空洞が導管に対して実質的に垂直に配位している、請求項１７に記載のシステム。
【請求項３４】
骨がヒトの脊椎骨である、請求項１７に記載のシステム。
【請求項３５】
内部空洞、導管、第一突起物および第二突起物を含む本体、ここで、第一突起物は第一開口部を含み、第二突起物は第二開口部を含み、導管は内部空洞と通じるように構成され、第一突起物および第二突起物が本体の向かい合う側に位置している；
使用中に骨の一部を係合するためのループを形成するために導管を通るように構成されたケーブル、ここで、ケーブルの一部は使用中に内部空洞の中に延びている；および
上側部分を含むピン、ここで、上側部分は第一突出部および第二突出部を含む；
を含む骨固定システムであって、
ピンが、ケーブルを本体に関して確保するために第一位置へと回転可能であり、かつピンが、ケーブルが使用中に本体に関して移動可能であるように第二位置へと回転可能であり、
そして、ピンが第一位置にあるときに第一開口部を係合するように第一突出部が構成され、ピンが第一位置にあるときに第二開口部を係合するように第二突出部が構成され、第一および第二突出部と第一および第二開口部との係合が、使用中にピンの回転を実質的に妨げる
ところのシステム。
【請求項３６】
導管が本体の中を横方向に通って内部空洞と通じており、かつ導管が内部空洞に関して実質的に垂直に配位している、請求項３５に記載のシステム。
【請求項３７】
内部空洞が、導管と内部空洞の間に位置する開き口を含み、開き口は、ケーブルの一部が使用中に開き口を通って内部空洞の中に延び得るように位置している、請求項３５に記載のシステム。
【請求項３８】
ピンが溝をさらに含み、ここで溝はケーブルの直径より実質的に大きい幅を有し、かつ溝はピン上に位置して、使用中にケーブルがピンを通り過ぎて自由に動くことを可能にする、請求項３５に記載のシステム。
【請求項３９】
ピンが溝をさらに含み、ここで溝は使用中に導管と一直線に並ぶようにピン上に位置しており、かつ溝は、使用中にケーブルが本体を通って移動することを可能にする、請求項３５に記載のシステム。
【請求項４０】
ピンが溝をさらに含み、ここで溝は、使用中にピンが第一位置にあるとき、導管に対して実質的に垂直に向いている、請求項３５に記載のシステム。
【請求項４１】
ピンが下側部分をさらに含み、ここで下側部分は、使用中にケーブルが本体内で確保されるようにケーブルを導管に対して押しつけるように構成されている、請求項３５に記載のシステム。
【請求項４２】
ピンが下側部分をさらに含み、上側部分が下側部分の直径より実質的に大きい直径を含む、請求項３５に記載のコネクター。
【請求項４３】
ピンが内部空洞内に確保されている、請求項３５に記載のコネクター。
【請求項４４】
使用中にケーブルが本体を通って移動することを可能にするためにピンが第一位置から第二位置へ回転するように構成されている、請求項３５に記載のコネクター。
【請求項４５】
使用中にケーブルを本体に関して確保するためにピンが第二位置から第一位置へ回転するように構成されている、請求項３５に記載のコネクター。
【請求項４６】
ピンが第一方向に回転するように構成され、第一および第二突出部が第一方向と反対の方向でのピンの回転を阻止するように構成されている、請求項３５に記載のコネクター。
【請求項４７】
骨がヒトの脊椎骨である、請求項３５に記載のコネクター。
【請求項４８】
内部空洞、導管および突起物を含む本体、ここで、導管は内部空洞と通じており、突起物は開口部を含む；および
突出部および溝を含むピン；
を含む骨固定デバイスであって、
ピンは空洞内にフィットするように構成され、溝および導管は使用中にケーブルを受けるように配列可能であり、ピンは、溝が導管と実質的に一直線に並ぶように使用中に空洞内で第一位置に配置可能であり、かつピンは、溝が導管に対して実質的に垂直であるように空洞内で第二位置に配置可能であり、
そして、突出部は、使用中にピンの回転が実質的に妨げられるように、ピンが第一位置にあるときに開口部内にフィットするように構成されている
ところのデバイス。
【請求項４９】
導管が本体の中を横方向に通って内部空洞と通じており、かつ導管が内部空洞に関して実質的に垂直に配位している、請求項４８に記載のデバイス。
【請求項５０】
内部空洞が、導管と内部空洞の間に位置する開き口を含む、請求項４８に記載のデバイス。
【請求項５１】
ピンが上側部分および下側部分をさらに含み、上側部分が下側部分の直径より実質的に大きい直径を含み、上側部分上に突出部が形成されている、請求項４８に記載のデバイス。
【請求項５２】
ピンが上側部分および下側部分をさらに含み、下側部分が内部空洞の直径より実質的に小さい直径を含む、請求項４８に記載のデバイス。
【請求項５３】
ピンが上側部分および下側部分をさらに含み、上側部分が内部空洞の直径より実質的に大きい直径を含む、請求項４８に記載のデバイス。
【請求項５４】
ピンが内部空洞内に確保されている、請求項４８に記載のデバイス。
【請求項５５】
使用中にピンが第二位置から第一位置へ回転するように構成されている、請求項４８に記載のデバイス。
【請求項５６】
使用中にピンが第一位置から第二位置へ回転するように構成されている、請求項４８に記載のデバイス。
【請求項５７】
ピンが第一方向に回転するように構成され、第一方向と反対の方向でのピンの回転を阻止するように突出部が構成されている、請求項４８に記載のデバイス。
【請求項５８】
ピンが第一方向に回転して第一位置に入るように構成され、ピンが第一位置にあるときに開口部を係合するように突出部が構成され、突出部と開口部との係合が第一方向と反対の方向でのピンの回転を実質的に阻止する、請求項４８に記載のデバイス。
【請求項５９】
骨がヒトの脊椎骨である、請求項４８に記載のデバイス。
【請求項６０】
ケーブルをコネクターに通し、ヒトの骨要素の周囲に回し、コネクターに戻すことによりループを形成する工程、ここで、コネクターはロッキング部分を含む；
テンショナーを使用してケーブルに張力をかける工程；および
ピンをコネクター本体内に配置する工程、ここで、ピンは突出部を含み、ピンがケーブルを係合してケーブルをコネクター本体内に確保し、それによってループの大きさを固定し、突出部が、ピンの回転が実質的に阻止されるようにロッキング部分を係合する；
を含む、外科用ケーブルシステムを外科的に移植する方法。
【請求項６１】
ループがヒト脊椎の少なくとも2個の椎骨を取り囲む、請求項６０に記載の方法。
【請求項６２】
ケーブルをヒトの骨要素の周囲に回す工程が、ループを骨の一部に通すことをさらに含む、請求項６０に記載の方法。
【請求項６３】
ループが脊椎固定デバイスおよびヒト脊椎の椎骨を取り囲む、請求項６０に記載の方法。
【請求項６４】
コネクターが第一導管および第二導管をさらに含み、ケーブルをコネクターに通す工程が、ケーブルを第一面に通して第一導管に入れ、本体の第二面から出すことを含み、ケーブルをコネクター本体に戻す工程が、ケーブルを第一面に通して第二導管に入れ、第二面から出すことを含む、請求項６０に記載の方法。
【請求項６５】
ケーブルの両端がコネクター本体から外へ延びるようにループが形成される、請求項６０に記載の方法。
【請求項６６】
ケーブルの両端がコネクター本体から外へ延びるようにループが形成され、ケーブルに張力をかける前にケーブルの両端がテンショナーに確保される、請求項６０に記載の方法。
【請求項６７】
ケーブルをコネクターに通す前に、ピンをコネクター内に配置する、請求項６０に記載の方法。
【請求項６８】
ケーブルをヒトの骨要素の周囲に回す前にケーブルをピンに通すことをさらに含む、請求項６０に記載の方法。
【請求項６９】
ケーブルに張力をかける前にコネクターをテンショナーの先端内に配置することをさらに含む、請求項６０に記載の方法。
【請求項７０】
ケーブルに張力をかける前にケーブルをテンショナーに確保することをさらに含む、請求項６０に記載の方法。
【請求項７１】
ピンを配置する前にドライバーをピンの中へ挿入することをさらに含む、請求項６０に記載の方法。
【請求項７２】
ピンを配置する工程が、ピンを回転することを含む、請求項６０に記載の方法。
【請求項７３】
ピンを配置する工程が、ピンをコネクター本体に挿入することを含む、請求項６０に記載の方法。
【請求項７４】
ケーブルがコネクター本体内で移動することを可能にするためにピンの位置をコネクター内で変える工程；
テンショナーを使用してケーブルに再び張力をかける工程；および
ケーブルをコネクター本体内に確保するためにピンをコネクター本体内に再配置する工程；
をさらに含む、請求項６０に記載の方法。
【請求項７５】
ピンの位置を変える工程が、ピンを回転させることを含む、請求項７４に記載の方法。
【請求項７６】
ピンの位置を変える工程が、ピンをコネクター本体から取り除くことを含む、請求項７４に記載の方法。
【請求項７７】
ピンを再配置する工程が、ピンを回転させることを含む、請求項７４に記載の方法。
【請求項７８】
ピンを再配置する工程が、ピンをコネクター本体に挿入することを含む、請求項７４に記載の方法。
【請求項７９】
ピンを配置する工程が、突出部がロッキング部分を係合するようにピンを第一方向に回転させることを含み、突出部はピンの第一方向と反対の方向での回転を阻止するように構成されている、請求項６０に記載の方法。
【請求項８０】
ピンの位置を変える工程が、突出部がロッキング部分の係合を外すようにピンを第一方向に回転させることを含む、請求項７４に記載の方法。
【請求項８１】
ピンを再配置する工程が、突出部がロッキング部分を係合するようにピンを第一方向に回転させることを含み、突出部はピンの第一方向と反対の方向での回転を阻止するように構成されている、請求項７４に記載の方法。
【請求項８２】
内部空洞、第一導管、第二導管、第一ロッキング部分および第二ロッキング部分を含む本体、ここで、第一ロッキング部分は第一開口部を含み、第二ロッキング部分は第二開口部を含み、第一導管および第二導管は内部空洞と通じるように構成されている；および
第一の溝、第二の溝、第一突出部および第二突出部を含むピン、ここで、ピンは使用中に内部空洞内で回転可能であるように構成されている；
を含む骨固定システムのためのコネクターであって、
使用中にケーブルを受けるために第一および第二の溝が第一および第二導管と一直線に配列可能であり、第一および第二の溝が第一および第二導管と実質的に一直線に並ぶようにピンが空洞内で第一位置へ回転可能であり、第一および第二の溝が第一および第二導管と実質的に垂直であるようにピンが空洞内で第二位置へ回転可能であり；
そして、ピンの回転が使用中に実質的に妨げられるように、ピンが第一位置にあるときに第一および第二突出部が第一および第二開口部内にフィットするように構成されている
ところのコネクター。
【請求項８３】
内部空洞を含む本体；
使用中に本体を通りヒトの骨の一部を係合するためのループを形成するように適合されているケーブル;および
本体に関して使用中に内部空洞内で、ケーブルの一部を確保するための第一位置に配置可能であり、それによって使用中にループの大きさを固定するピン、ここで、ピンは第二位置に配置可能であり、その結果、使用中にループの大きさを変えることを可能にするためにケーブルが本体に関して移動可能である；
を含むコネクター。
【請求項８４】
ケーブルが、細長くされ、かつ実質的に可撓性の主要部分をさらに含み、主要部分が撚られた金属ワイヤを含む、請求項８３に記載のコネクター。
【請求項８５】
ケーブルが、ヒトの骨の一部の周囲にケーブルを案内するように適合された誘導部分をさらに含む、請求項８３に記載のコネクター。
【請求項８６】
ケーブルが誘導部分をさらに含み、ここで誘導部分は撚られていないワイヤを含み、かつ誘導部分はヒトの骨の一部の周囲にケーブルを案内するように適合されている、請求項８３に記載のコネクター。
【請求項８７】
ケーブルがケーブルの一端に位置した先端をさらに含み、先端がケーブルの直径より大きい直径を含む、請求項８３に記載のコネクター。
【請求項８８】
ケーブルがケーブルの一端に位置した先端をさらに含み、先端が内部空洞の一部より大きい直径を含む、請求項８３に記載のコネクター。
【請求項８９】
本体が、本体の第一側面から延びる第一アームおよび本体の第二側面から延びる第二アームをさらに含み、本体が実質的にＵ型であるように第二側面が第一側面と向かい合って位置している、請求項８３に記載のコネクター。
【請求項９０】
本体が、本体の第一側面から延びる第一アームおよび本体の第二側面から伸びる第二アームをさらに含み、第二側面が第一側面と向かい合って位置している、請求項８３に記載のコネクター。
【請求項９１】
本体が、第一アームおよび第二アームをさらに含み、使用中にピンが内部空洞内で回転するように適合されるようにそれらのアームが位置している、請求項８３に記載のコネクター。
【請求項９２】
本体が、第一アームおよび第二アームをさらに含み、内部空洞が第一アームと第二アームとの間で本体全体を長さ方向に通る、請求項８３に記載のコネクター。
【請求項９３】
ピンが上側部分および下側部分をさらに含み、上側部分が下側部分の直径より実質的に大きい直径を含む、請求項８３に記載のコネクター。
【請求項９４】
ピンが下側部分をさらに含み、下側部分が内部空洞の直径より実質的に小さい直径を含む、請求項８３に記載のコネクター。
【請求項９５】
ピンが上側部分をさらに含み、上側部分が内部空洞の直径より実質的に大さい直径を含む、請求項８３に記載のコネクター。
【請求項９６】
ピンが上側部分をさらに含み、上側部分は、ピンの向かい合う側面上に距離を置いて位置された少なくとも２個の実質的に平らなエッジを含み、ピンの上側部分が本体内にフィットする大きさである、請求項８３に記載のコネクター。
【請求項９７】
ピンが上側部分をさらに含み、上側部分は、ピンの向かい合う側面上に距離を置いて位置された少なくとも２個の実質的に平らなエッジを含み、本体が本体の向かい合う側面から延びる第一アームおよび第二アームを含み、ピンの上側部分が第一アームと第二アームとの間にフィットする大きさである、請求項８３に記載のコネクター。
【請求項９８】
ピンが内部空洞内に確保されるように適合されている、請求項８３に記載のコネクター。
【請求項９９】
使用中に本体に関してケーブルの一部を確保するために、ピンが第一位置から第二位置へ回転するように適合されている、請求項８３に記載のコネクター。
【請求項１００】
使用中にケーブルの一部が本体を通って移動することを可能にするために、ピンが第二位置から第一位置へ回転するように適合されている、請求項８３に記載のコネクター。
【請求項１０１】
内部空洞、第一導管および第二導管を含む本体、ここで、少なくとも一方の導管は内部空洞と通じている；
使用中にヒトの骨の一部を係合するためのループを形成するために本体を通るように適合されたケーブル；および
開口部を含むピン、ここで、ピンは内部空洞内で配置可能であり、ピンは使用中に内部空洞内で、本体に関してケーブルの一部を確保するための第一位置に配置可能であり、それによって使用中にループの大きさを固定し、かつピンは第二位置に配置可能であり、その結果、使用中にループの大きさを変えることを可能にするためにケーブルが本体に関して移動可能である；
を含むコネクター。
【請求項１０２】
ケーブルの直径が導管の幅より実質的に小さい、請求項１０１に記載のコネクター。
【請求項１０３】
ケーブルがケーブルの一端に位置した先端をさらに含み、先端が導管の幅より実質的に大きい直径を含む、請求項１０１に記載のコネクター。
【請求項１０４】
ケーブルがケーブルの一端に位置した先端をさらに含み、先端が開口部の下側部分の直径より実質的に大きい直径を含む、請求項１０１に記載のコネクター。
【請求項１０５】
本体が第一アームおよび第二アームをさらに含み、内部空洞が第一アームと第二アームとの間の本体全体を長さ方向に通り、内部空洞が導管に対して実質的に垂直に配位している、請求項１０１に記載のコネクター。
【請求項１０６】
導管が本体を横方向に通って内部空洞と通じており、導管が内部空洞に対して実質的に垂直に配位している、請求項１０１に記載のコネクター。
【請求項１０７】
内部空洞が、導管の一方と内部空洞との間に位置した少なくとも１個の開き口を含み、ケーブルが導管の一方を通り、ケーブルが開き口を通って内部空洞の中に延び得る、請求項１０１に記載のコネクター。
【請求項１０８】
ピンが第一の溝および第二の溝をさらに含み、第一および第二の溝はピンの下側部分の向かい合う側面に位置している、請求項１０１に記載のコネクター。
【請求項１０９】
ピンが溝をさらに含み、溝はケーブルの直径より実質的に大きい幅を有し、溝は使用中にケーブルがピンを通り過ぎて自由に動くことを可能にするように適合されている、請求項１０１に記載のコネクター。
【請求項１１０】
ピンが第一の溝および第二の溝をさらに含み、それらの溝は、使用中に導管によって規定される平面にあるように適合されている、請求項１０１に記載のコネクター。
【請求項１１１】
ピンが第一の溝および第二の溝をさらに含み、それらの溝は使用中に第一導管および第二導管と一直線に並ぶように適合され、溝はケーブルが本体を通って移動することを可能にする、請求項１０１に記載のコネクター。
【請求項１１２】
ピンが第一の溝および第二の溝をさらに含み、それらの溝は使用中に第一導管および第二導管に対して垂直であるように適合され、ピンは本体を通るケーブルの移動を阻止する、請求項１０１に記載のコネクター。
【請求項１１３】
ピンが下側部分をさらに含み、下側部分は、ケーブルが本体内に確保されるようにケーブルを導管の一方に対して押しつけるように適合されている、請求項１０１に記載のコネクター。
【請求項１１４】
開口部がピン全体を長さ方向に通って延びている、請求項１０１に記載のコネクター。
【請求項１１５】
開口部が上側部分および下側部分を含み、上側部分が下側部分より大きい直径を含む、請求項１０１に記載のコネクター。
【請求項１１６】
開口部が上側部分を含み、上側部分は、使用中にケーブルが開口部内で移動することを可能にするためにケーブルの直径より実質的に大きい直径を含む、請求項１０１に記載のコネクター。
【請求項１１７】
開口部が上側部分を含み、上側部分がケーブルの先端を受けるように形成されている、請求項１０１に記載のコネクター。
【請求項１１８】
開口部が上側部分を含み、上側部分が、ピンへねじれ力を付与するように適合されたデバイスと結合するように形成されている、請求項１０１に記載のコネクター。
【請求項１１９】
開口部が上側部分を含み、上側部分が実質的に六角形の形状である、請求項１０１に記載のコネクター。
【請求項１２０】
ケーブルが導管内にある間、ケーブルの一部を本体に関して確保するために、ピンが第一位置から第二位置へ回転するように適合されている、請求項１０１に記載のコネクター。
【請求項１２１】
ケーブルが導管内にある間、ケーブルが本体を通って移動することを可能にするために、ピンが第二位置から第一位置へ回転するように適合されている、請求項１０１に記載のコネクター。
【請求項１２２】
ケーブルが開口部および導管を通ってループを形成するように適合されている、請求項１０１に記載のコネクター。
【請求項１２３】
ケーブルが第一部分および第二部分を含み、ケーブルの第一部分が第一導管内で配置可能であり、ケーブルの第二部分が第二導管内で配置可能であり、使用中に第二部分が第一部分に関して実質的に平行の配位に配置可能である、請求項１０１に記載のコネクター。
【請求項１２４】
ケーブルが第一部分および第二部分を含み、第一部分が第一導管内で配置可能であり、ケーブルの第二部分が開口部内で配置可能であり、使用中にループを形成するためにケーブルの第二部分がケーブルの第一部分に関して実質的に垂直に配位している、請求項１０１に記載のコネクター。
【請求項１２５】
アームを含む本体；
使用中にコネクターを係合するように適合されたシャフト；および
使用中にドライバーがコネクターから係合を外された後、ケーブルがコネクター内に確保されたままであるように、使用中にケーブルをコネクター内に確保するように適合されたドライバー；
を含むテンショナーであって、
使用中にシャフトの位置を変更すると、アームがケーブルの張力を変えるように適合されている
ところのテンショナー。
【請求項１２６】
本体が本体の前方部分を通って延びる前方開口部を含み、前方開口部がシャフトの直径より実質的に大きい直径を有する、請求項１２５に記載のテンショナー。
【請求項１２７】
本体が本体の後方部分を通って延びる後方開口部を含み、後方開口部がシャフトの直径より実質的に大きい直径を有し、開口部が本体内でのシャフトの回転を制限するように適合されている、請求項１２５に記載のテンショナー。
【請求項１２８】
本体が前方開口部および後方開口部を含み、前方開口部が本体の前方部分を通って延びており、後方開口部が本体の後方部分を通って延びており、シャフトが前方開口部および後方開口部内に配置されている、請求項１２５に記載のテンショナー。
【請求項１２９】
本体が前方開口部および後方開口部を含み、前方開口部が本体の前方部分を通って延びており、後方開口部が本体の後方部分を通って延びており、シャフトが前方開口部および後方開口部を通って延びている、請求項１２５に記載のテンショナー。
【請求項１３０】
本体が中空部を含み、中空部がアームを保持するように適合されており、アームが中空部内で旋回するように適合されている、請求項１２５に記載のテンショナー。
【請求項１３１】
本体が中空部を含み、中空部がアームを保持し、かつアームの移動を制限するように適合されている、請求項１２５に記載のテンショナー。
【請求項１３２】
アームおよびシャフトと接触しているプッシュタブをさらに含み、プッシュタブは、アームを本体内で移動させるとシャフトを前方方向に本体を通って移動させるように適合されている、請求項１２５に記載のテンショナー。
【請求項１３３】
アームと通じているアームスプリングをさらに含み、アームスプリングは、使用中にアームを移動させると押圧するように適合されている、請求項１２５に記載のテンショナー。
【請求項１３４】
アームと通じているアームスプリングをさらに含み、アームスプリングは、使用中にアームを出発位置に戻すように適合されている、請求項１２５に記載のテンショナー。
【請求項１３５】
本体がロックタブを含み、ロックタブは、使用中にシャフトが本体を通って移動することを阻止するように適合されている、請求項１２５に記載のテンショナー。
【請求項１３６】
本体がロックタブを含み、ロックタブは、使用中にシャフトの移動を阻止するように適合されており、かつロックタブは、使用中にシャフトが本体を通って移動することを可能にするようにシャフトに沿って配置可能である、請求項１２５に記載のテンショナー。
【請求項１３７】
本体がロックスプリングおよびロックタブを含み、ロックスプリングはロックタブと接触しており、ロックスプリングは、使用中にシャフトが本体を通って移動することをロックタブが阻止するようにロックタブを移動させるように適合されている、請求項１２５に記載のテンショナー。
【請求項１３８】
シャフトがシャフトを通って長さ方向に延びている開口部をさらに含む、請求項１２５に記載のテンショナー。
【請求項１３９】
シャフトがシャフトの一端に位置した先端をさらに含み、先端はシャフトのシャフト直径より実質的に大きい先端直径を含む、請求項１２５に記載のテンショナー。
【請求項１４０】
シャフトが先端をさらに含み、先端が先端の外側表面に沿って長さ方向に延びているくぼみを含み、くぼみがケーブルを含むように適合されている、請求項１２５に記載のテンショナー。
【請求項１４１】
シャフトが先端をさらに含み、先端はくぼんだ開口部を含み、くぼんだ開口部がコネクターと相補的な形状を含む、請求項１２５に記載のテンショナー。
【請求項１４２】
シャフトが先端をさらに含み、先端は第一スロットおよび第二スロットを含み、第一スロットは先端の一端を実質的に横切って延びており、第二スロットは第一スロットに対して実質的に垂直の配位で先端の上記端を実質的に横切って延びており、それらのスロットが、コネクターを含むように適合されたくぼんだ開口部を形成する、請求項１２５に記載のテンショナー。
【請求項１４３】
本体がブッシングをさらに含み、ブッシングが本体およびシャフトと通じるように適合されており、ブッシングが本体内でのシャフトの横方向の移動を最少にするように適合されている、請求項１２５に記載のテンショナー。
【請求項１４４】
本体がブッシングカバーをさらに含み、ブッシングカバーはケーブルクランプを含み、かつブッシングカバーは、ケーブルクランプが本体に関して配置可能であり得るように本体の周りで回転するように適合されている、請求項１２５に記載のテンショナー。
【請求項１４５】
本体がケーブルクランプを含み、ケーブルクランプは、ケーブルの一部が本体に関して移動することを阻止するように適合されている、請求項１２５に記載のテンショナー。
【請求項１４６】
使用中にケーブルが本体に関して移動することを阻止するための確保位置へ回転するように適合されたケーブルクランプをさらに含み、ケーブルは、使用中にケーブルが本体に関して移動することを可能にするための開放位置へ回転するように適合されている、請求項１２５に記載のテンショナー。
【請求項１４７】
ケーブルクランプと通じるケーブルクランプスプリングをさらに含み、ケーブルクランプスプリングは確保位置でケーブルクランプを固定するように適合されている、請求項１２５に記載のテンショナー。
【請求項１４８】
ドライバーが端部をさらに含み、端部は、使用中にコネクターに関してピンの位置を変えるように適合されている、請求項１２５に記載のテンショナー。
【請求項１４９】
ドライバーが端部をさらに含み、端部が実質的に六角形である、請求項１２５に記載のテンショナー。
【請求項１５０】
ドライバーが、使用中にケーブルをコネクターに関して確保するためにピンがケーブルの一部を係合するような配位でピンをコネクター内に配置するように適合されている、請求項１２５に記載のテンショナー。
【請求項１５１】
ドライバーが、使用中にケーブルの一部がコネクター内で移動可能であるような配位でピンをコネクター内に配置するように適合されている、請求項１２５に記載のテンショナー。
【請求項１５２】
ケーブルをコネクター本体に通し、ヒトの骨要素の周囲に回し、コネクター本体に戻すことによりループを形成する工程；
テンショナーを使用してケーブルに張力をかける工程；および
ケーブルをコネクター本体内に確保するためにピンがケーブルを係合するようにピンをコネクター本体内に配置する工程；
を含む、外科用ケーブルシステムを外科的に移植する方法。
【請求項１５３】
ループがヒトの脊椎の少なくとも2個の椎骨を取り囲む、請求項１５２に記載の方法。
【請求項１５４】
ループが脊椎固定デバイスおよびヒトの脊椎の椎骨を取り囲む、請求項１５２に記載の方法。
【請求項１５５】
ケーブルをコネクター本体に通す工程が、ケーブルをコネクター本体の第一面に通し、本体の第二面から外へ出すことを含み、ケーブルをコネクター本体に戻す工程が、ケーブルを第二面に通し、第一面から外へ出すことを含む、請求項１５２に記載の方法。
【請求項１５６】
ケーブルをコネクター本体に通す工程が、ケーブルをコネクター本体の第一面に通し、本体の第二面から外へ出すことを含み、ケーブルをコネクター本体に戻す工程が、ケーブルを第一面に通し、第二面から外へ出すことを含む、請求項１５２に記載の方法。
【請求項１５７】
ケーブルの両端がコネクター本体から外へ延びるようにループが形成される、請求項１５２に記載の方法。
【請求項１５８】
ケーブルの両端がコネクター本体から外へ延びるようにループが形成され、張力をかける工程の前にケーブルの両端がテンショナーに確保される、請求項１５２に記載の方法。
【請求項１５９】
ケーブルの第一端がコネクター本体によって確保されるようにループが形成され、ケーブルの第二端がコネクター本体から外へ延びる、請求項１５２に記載の方法。
【請求項１６０】
ケーブルの第一端がコネクター本体によって確保されるようにループが形成され、ケーブルの第二端がコネクター本体から外へ延び、張力をかける工程の前にケーブルの第二端がテンショナーに確保される、請求項１５２に記載の方法。
【請求項１６１】
ケーブルをコネクター本体に通す工程の前にピンがコネクター本体内に配置される、請求項１５２に記載の方法。
【請求項１６２】
ケーブルの第一端がコネクター本体内に配置されたピンによって含まれるようにループが形成され、、ケーブルの第二端がコネクター本体から外へ延びる、請求項１５２に記載の方法。
【請求項１６３】
ケーブルの第一端がコネクター本体内に配置されたピンによって含まれるようにループが形成され、ケーブルの第二端がコネクター本体から外へ延び、そして張力をかける工程の前にケーブルの第二端をテンショナーに確保することをさらに含む、請求項１５２に記載の方法。
【請求項１６４】
ケーブルをヒトの骨要素の周囲に回す前にケーブルをピンに通すことをさらに含む、請求項１５２に記載の方法。
【請求項１６５】
ケーブルに張力をかける工程の前にコネクター本体をテンショナーの先端内に配置することをさらに含む、請求項１５２に記載の方法。
【請求項１６６】
ケーブルに張力をかける工程の前にケーブルをテンショナーに確保することをさらに含む、請求項１５２に記載の方法。
【請求項１６７】
ケーブルに張力をかける工程の前にケーブルの一部をケーブルクランプレバーの下に確保することをさらに含む、請求項１５２に記載の方法。
【請求項１６８】
ケーブルの第一端を第一ケーブルクランプで確保することをさらに含み、ケーブルの第二端を第二ケーブルクランプで確保することをさらに含み、ケーブルに張力をかける工程の前にケーブルの両端が確保される、請求項１５２に記載の方法。
【請求項１６９】
張力をかける工程が、テンショナーが同時にコネクター本体を所定の位置に保持し、かつケーブルの張力が所定の量に達するまでケーブルをコネクター本体に通して引くことを含む、請求項１５２に記載の方法。
【請求項１７０】
張力をかける工程が、コネクター本体を通るケーブルの移動方向と反対の方向にテンショナーのシャフトを移動させることを含む、請求項１５２に記載の方法。
【請求項１７１】
ピンを配置する工程の前にドライバーをピンに挿入することをさらに含む、請求項１５２に記載の方法。
【請求項１７２】
ピンを配置する工程が、ピンを回転させることを含む、請求項１５２に記載の方法。
【請求項１７３】
ピンを配置する工程が、ピンをコネクター本体に挿入することを含む、請求項１５２に記載の方法。
【請求項１７４】
ピンを配置する工程が、ドライバーを第一方向に回転させることを含み、ドライバーは、ピンが同時に第一方向に回転するようにピンと相互作用する、請求項１５２に記載の方法。
【請求項１７５】
ピンを配置する工程の後に、テンショナーをコネクター本体から外すことをさらに含む、請求項１５２に記載の方法。
【請求項１７６】
ピンを配置する工程の後に、ケーブルをケーブルクランプから取り除くことをさらに含む、請求項１５２に記載の方法。
【請求項１７７】
ケーブルをコネクター本体に通し、ヒトの骨の周囲に回し、コネクター本体に戻すことによりループを形成する工程；
テンショナーを使用してケーブルに張力をかける工程；
ケーブルをコネクター本体内に確保するためにピンがケーブルを係合するようにピンをコネクター本体内に配置する工程；
ケーブルがコネクター本体内で移動することを可能にするためにコネクター本体内でピンの位置を変える工程；
テンショナーを使用してケーブルに再び張力をかける工程；および
ケーブルをコネクター本体内に確保するためにピンをコネクター本体内に再配置する工程；
を含む、外科用ケーブルシステムを外科的に移植する方法。
【請求項１７８】
ピンを変える工程の前にドライバーをピンに挿入することをさらに含む、請求項１７７に記載の方法。
【請求項１７９】
ピンの位置を変える工程が、ピンを回転させることを含む、請求項１７７に記載の方法。
【請求項１８０】
ピンの位置を変える工程が、ピンをコネクター本体から取り除くことを含む、請求項１７７に記載の方法。
【請求項１８１】
ピンの位置を変える工程が、ドライバーを第一方向に回転させることを含み、ドライバーは、ピンが同時に第一方向に回転するようにピンと相互作用する、請求項１７７に記載の方法。
【請求項１８２】
ピンを再配置する工程の前にドライバーをピンに挿入することをさらに含む、請求項１７７に記載の方法。
【請求項１８３】
ピンを再配置する工程が、ピンを回転させることを含む、請求項１７７に記載の方法。
【請求項１８４】
ピンを再配置する工程が、ピンをコネクター本体に挿入することを含む、請求項１７７に記載の方法。
【請求項１８５】
ピンを再配置する工程が、ドライバーを第一方向に回転させることを含み、ドライバーは、ピンが同時に第一方向に回転するようにピンと相互作用する、請求項１７７に記載の方法。
【請求項１８６】
ケーブルに再び張力をかける工程の前にコネクター本体をテンショナーの先端内に配置することをさらに含む、請求項１７７に記載の方法。
【請求項１８７】
ケーブルに再び張力をかける工程の前にケーブルをテンショナーに確保することをさらに含む、請求項１７７に記載の方法。
【請求項１８８】
ケーブルに再び張力をかける工程の前にケーブルの一部をケーブルクランプレバーの下に確保することをさらに含む、請求項１７７に記載の方法。
【請求項１８９】
ケーブルの第一端を第一ケーブルクランプで確保することをさらに含み、ケーブルの第二端を第二ケーブルクランプで確保することをさらに含み、ケーブルに再び張力をかける工程の前にケーブルの両端が確保される、請求項１７７に記載の方法。
【請求項１９０】
ピンを再配置する工程の後にテンショナーをコネクター本体から外すことをさらに含む、請求項１７７に記載の方法。
【請求項１９１】
ピンを再配置する工程の後にケーブルをケーブルクランプから取り除くことをさらに含む、請求項１７７に記載の方法。
【請求項１９２】
内部空洞を含む本体；
使用中にヒトの骨の一部を係合するためのループを形成するために本体を通るように適合されたケーブル；
本体に関してケーブルの一部を確保するために第一配位で使用中に内部空洞内で配置可能であり、それによって使用中にループの大きさを固定するピン、ここで、ピンは、本体に関してケーブルを確保した後、第二位置に配置可能であり、その結果、使用中にループの大きさを変えることができるようにケーブルは本体に関して移動可能である；および
使用中にケーブルの張力を変えるように適合されたテンショナー；
を含む外科用ケーブルシステム。
【請求項１９３】
テンショナーがくぼんだ開口部を含み、くぼんだ開口部がコネクターと相補的な形状を含む、請求項１９２に記載の外科用ケーブルシステム。
【請求項１９４】
テンショナーがくぼんだ開口部を含み、くぼんだ開口部が使用中にコネクターの一部を含むように適合されている、請求項１９２に記載の外科用ケーブルシステム。
【請求項１９５】
テンショナーが本体を含み、本体はケーブルクランプを含み、ケーブルクランプは本体に関してケーブルの一部の移動を阻止するように適合されている、請求項１９２に記載の外科用ケーブルシステム。
【請求項１９６】
テンショナーがドライバーを含み、ドライバーは、使用中にコネクターに関してピンの位置を変えるように適合されている、請求項１９２に記載の外科用ケーブルシステム。
【請求項１９７】
テンショナーがドライバーを含み、ドライバーは、使用中にケーブルがコネクターに関して確保されるようにピンがケーブルの一部を係合する配位でピンをコネクター内に配置するように適合されている、請求項１９２に記載の外科用ケーブルシステム。
【請求項１９８】
テンショナーがドライバーを含み、ドライバーは、使用中にケーブルがコネクターに関して移動することを阻止するためにピンがケーブルの一部を係合する配位でピンをコネクター内に配置するように適合されている、請求項１９２に記載の外科用ケーブルシステム。
【請求項１９９】
テンショナーがドライバーを含み、ドライバーは、本体内でピンを回転させるように適合されている、請求項１９２に記載の外科用ケーブルシステム。
【請求項２００】
ケーブルをコネクター本体に通し、ヒトの骨要素の周囲に回し、コネクター本体に戻すことによりループを形成する工程；
ケーブルに張力をかける工程；および
ケーブルをコネクター本体内に確保するためにピンがケーブルを係合するようにピンをコネクター本体内に配置する工程；
を含む、外科用ケーブルシステムを外科的に移植するためにコネクター本体およびピンを含むコネクターを使用する方法。
【請求項２０１】
ケーブルをコネクター本体に通す工程が、ケーブルをコネクター本体の第一面に通し、本体の第二面から外へ出すことを含み、ケーブルをコネクター本体に戻す工程がケーブルを第二面に通して第一面から外へ出すことを含む、請求項２００に記載の方法。
【請求項２０２】
ケーブルをコネクター本体に通す工程が、ケーブルをコネクター本体の第一面に通し、本体の第二面から外へ出すことを含み、ケーブルをコネクター本体に戻す工程がケーブルを第一面に通して第二面から外へ出すことを含む、請求項２００に記載の方法。
【請求項２０３】
ケーブルの両端がコネクター本体から外へ延びるようにループが形成される、請求項２００に記載の方法。
【請求項２０４】
ケーブルの第一端がコネクター本体によって確保されるようにループが形成され、ケーブルの第二端がコネクター本体から外へ延びる、請求項２００に記載の方法。
【請求項２０５】
ケーブルをコネクター本体に通す工程の前にピンがコネクター本体内に配置される、請求項２００に記載の方法。
【請求項２０６】
ケーブルの第一端が、コネクター本体内に配置されたピンによって含まれ、ケーブルの第二端がコネクター本体から外へ延びる、請求項２００に記載の方法。
【請求項２０７】
ケーブルをヒトの骨要素の周囲に回す前にケーブルをピンに通すことをさらに含む、請求項２００に記載の方法。
【請求項２０８】
張力をかける工程が、ループの直径が実質的により小さくなるようにケーブルの第一端およびケーブルの第二端をコネクター本体に通して引くことを含む、請求項２００に記載の方法。
【請求項２０９】
張力をかける工程が、ケーブルがコネクター本体によって確保されるようにケーブルの第一端を引くことを含み、ループの直径が実質的により小さくなるようにケーブルの第二端をコネクター本体に通して引くことをさらに含む、請求項２００に記載の方法。
【請求項２１０】
ケーブルがピンによって確保されるようにケーブルの第一端を引くことを含み、ループの直径が実質的により小さくなるようにケーブルの第二端をコネクター本体に通して引くことをさらに含む、請求項２００に記載の方法。
【請求項２１１】
ピンを配置する工程の前にドライバーをピンに挿入することをさらに含む、請求項２００に記載の方法。
【請求項２１２】
ピンを配置する工程が、ピンを回転させることを含む、請求項２００に記載の方法。
【請求項２１３】
ピンを配置する工程が、ピンをコネクター本体に挿入することを含む、請求項２００に記載の方法。
【請求項２１４】
ピンを配置する工程が、ドライバーを第一方向に回転させることを含み、ドライバーは、ピンが同時に第一方向に回転するようにピンと相互作用する、請求項２００に記載の方法。
【請求項２１５】
ケーブルをヒトの骨要素の周囲に回し、コネクターに通してループを形成する工程；
テンショナーのシャフトの移動の第一方向がコネクターを通るケーブルの移動の第二方向と反対であるようにケーブルをテンショナーによって張力をかける工程；および
ケーブルをコネクター内に確保する工程；
を含む、外科用ケーブルシステムを外科的に移植するためにテンショナーを使用する方法。
【請求項２１６】
ケーブルの両端がコネクターから外へ延びるようにループが形成され、張力をかける工程の前にケーブルの両端がテンショナーに確保される、請求項２１５に記載の方法。
【請求項２１７】
ケーブルの第一端がコネクターによって確保されるようにループが形成され、ケーブルの第二端はコネクターから外へ延び、ケーブルの第二端は張力をかける工程の前にテンショナーに確保される、請求項２１５に記載の方法。
【請求項２１８】
ケーブルに張力をかける工程の前にコネクターをテンショナーの先端内に配置することをさらに含む、請求項２１５に記載の方法。
【請求項２１９】
ケーブルに張力をかける工程の前にケーブルをテンショナーに確保することをさらに含む、請求項２１５に記載の方法。
【請求項２２０】
ケーブルに張力をかける工程の前にケーブルの一部をケーブルクランプレバーの下に確保することをさらに含む、請求項２１５に記載の方法。
【請求項２２１】
ケーブルの第一端を第一ケーブルクランプで確保することをさらに含み、ケーブルの第二端を第二ケーブルクランプで確保することをさらに含み、ケーブルに張力をかける工程の前にケーブルの両端が確保される、請求項２１５に記載の方法。
【請求項２２２】
張力をかける工程が、テンショナーが同時にコネクターを所定の位置に保持し、かつケーブルの張力が所定の量に達するまでケーブルをコネクターに通して引くことを含む、請求項２１５に記載の方法。
【請求項２２３】
ケーブルを確保する工程の後にテンショナーをコネクター本体から外すことをさらに含む、請求項２１５に記載の方法。
【請求項２２４】
ケーブルを確保する工程の後にケーブルをケーブルクランプから取り除くことをさらに含む、請求項２１５に記載の方法。
【請求項２２５】
ケーブルが本体を通ってループを形成するように適合され、ケーブルは、ケーブルの第一部分および第二部分が互いに実質的に平行に配位する第一配置で本体に通され、そして、ケーブルは、ケーブルの第一部分および第二部分が互いに実質的に垂直に配位する第二配置で本体に通される、請求項８３に記載のコネクター。
【請求項２２６】
ケーブルが本体を通ってループを形成するように適合され、ケーブルは、ケーブルの第一部分が第一導管内に配置され、ケーブルの第二部分が第二導管内に配置され、第一部分および第二部分が互いに実質的に平行に配位する第一配置で本体に通され、そして、ケーブルは、ケーブルの第一部分が第一導管内に配置され、ケーブルの第二部分が開口部内に配置され、第一部分および第二部分が互いに実質的に垂直に配位する第二配置で本体に通される、請求項１０１に記載のコネクター。
【請求項２２７】
ヒトの骨がヒトの脊椎骨である、請求項８３に記載のコネクター。
【請求項２２８】
ヒトの骨がヒトの脊椎骨である、請求項１０１に記載のコネクター。
【請求項２２９】
ヒトの骨がヒトの脊椎骨である、請求項１５２に記載の方法。
【請求項２３０】
ヒトの骨がヒトの脊椎骨である、請求項１９２に記載の外科用ケーブルシステム。
【請求項２３１】
ヒトの骨がヒトの脊椎骨である、請求項１７７に記載の方法。
【請求項２３２】
ヒトの骨がヒトの脊椎骨である、請求項２００に記載の方法。
【請求項２３３】
内部空洞、第一導管、および第二導管を含む本体、ここで、少なくとも一方の導管は内部空洞と通じるように適合されている；
使用中にヒトの脊椎の一部を係合するためのループを形成するために本体を通るように適合されたケーブル；および
開口部を含むピン、ここで、ピンは内部空洞内で配置可能であり、ピンは、使用中に内部空洞内で、本体に関してケーブルの一部を確保するための第一位置に配置可能であり、それによって使用中のループの大きさが固定され、そして使用中にループの大きさを変えることを可能にするためにケーブルが本体に関して移動可能であるようにピンは第二位置に配置可能である；
を含むコネクター。
【請求項２３４】
ケーブルをコネクター本体に通し、ヒトの脊椎要素の周囲に回し、コネクター本体に戻すことによりループを形成する工程；
テンショナーを使用してケーブルに張力をかける工程；
ピンがケーブルを係合してケーブルをコネクター本体内に確保するようにピンをコネクター本体内に配置する工程；
ケーブルがコネクター本体内で移動することを可能にするためにピンの位置をコネクター本体内で変える工程；
テンショナーを使用してケーブルに再び張力をかける工程；および
ケーブルをコネクター本体内に確保するためにピンをコネクター本体内に再配置する工程；
を含む、外科用ケーブルシステムを外科的に移植する方法。
【請求項２３５】
内部空洞を含む本体；
使用中にヒトの脊椎の一部を係合するためのループを形成するために本体を通るように適合されたケーブル；
本体に関してケーブルの一部を確保し、それによって使用中にループの大きさを固定する第一配位に内部空洞内に配置可能であるピン、ここで、ピンは本体に関してケーブルを確保した後、使用中にループの大きさを変えることを可能にするためにケーブルが本体に関して移動可能であるように第二位置に配置可能である；および
使用中にケーブルの張力を変えるように適合されたテンショナー；
を含む外科用ケーブルシステム。
【請求項２３６】
ケーブルをヒトの脊椎要素の周囲に回し、コネクター本体に通してループを形成する工程；
テンショナーのシャフトの移動の第一方向がコネクターを通るケーブルの移動の第二方向に対して反対であるようにテンショナーを使用してケーブルに張力をかける工程；および
ケーブルをコネクター内に確保する工程；
を含む、外科用ケーブルシステムを外科的に移植するためにテンショなーを使用する方法。
【請求項２３７】
本体およびピンを含む骨固定デバイス。
【請求項２３８】
ケーブルをコネクターに通し、ヒトの骨要素の周囲に回し、コネクターに戻すことによりループを形成する工程、ここでコネクターはロッキング部分を含む；および
ケーブルに張力をかける工程；
を含む、患者の背中の骨を治療する方法。
【発明の詳細な説明】
【技術分野】
【０００１】
本発明は広く、外科用ケーブルシステム等に関する。より詳細には、本発明の一実施態様は、ヒトの骨の一部分の回りに外科用ケーブルを確保するための方法及び装置に関する。 
【背景技術】
【０００２】
外科用ケーブルは種々の外科手術に使用される。いくつかの例は、脊椎手術、全股関節部の関節形成、骨折固定、切開心臓手術に続く胸骨の縫合、及び下顎骨骨折修復のための口／顔の手術を含む。これらの及び他の外科手術において、ケーブルは、治療プロセスの間に適切な配向に骨の一部を据え付けかつ確保するために使用され得る。
【０００３】
脊柱中の椎骨の骨折は固定することが非常に困難であり、しばしば内部ピン、ケーブル及び/又は棒の使用を必要とする。一つのしばしば使用される手法は、治療のための理想的な位置に椎骨を確保するために骨折した椎骨を一つ又はそれ以上の隣接する椎骨にワイヤで留めることを含む。他の方法は、他の椎骨に同様に継ぎ合わされるところの棒に骨折した椎骨をワイヤで留めることを含む。これらの方法の両者、並びに脊椎修復のための他の技術は、椎骨の一部の回りに確保されるところのケーブルの使用に依存している。
【０００４】
外科用ケーブルで骨の部分を取り囲むための多数の方法が開発された。これらの技術の殆どは、骨の一部の回りにケーブルを通すこと及びクリンプを使用して正しい位置にケーブルを確保することを含む。ケーブリング装置及び方法の例は、米国特許第４，９６６，６００号明細書、米国特許第５，３９５，３７４号明細書、米国特許第５，４１５，６５８号明細書、米国特許第５，４２３，８２０号明細書及び米国特許第５，５６９，２４３号明細書に説明されている。これらの特許の夫々は、本明細書に十分に記述されたとして引用することにより組込まれる。
【０００５】
米国特許第４，９６６，６００号明細書に示されているように、ＳｏｎｇｅｒによるAcromed（商標）Cable Systemは、ループ状にケーブルを確保するために金属クリンプ部品の使用に依存するところのケーブリングシステムを示す。Acromed（商標）Systemの一の実施態様において、クリンプ部品はケーブルの一端に付けられる。ケーブルは次いで、コネクターを通して部分的に通過され得る。クリンプ部品は、ケーブルがコネクターを通して完全に通過することを禁止し得る。ケーブルは次いで、骨部分の回りにループ状にされることができ、そして、コネクターを通して再び通過され得る。張力をかける装置が、骨部分の回りにケーブルを締めるために使用され、そして、他のクリンプ部品が、所定位置にケーブルを固定するためにコネクターから外に延びるワイヤの部分に適用される。
【０００６】
Acromed（商標）Systemは、所定位置にケーブルを不可逆的に確保することを企てるためにクリンプ部品に頼る。もし、多数のケーブルがシリーズで使用されるなら、他のケーブルが加えられるときいくつかのケーブルを再度締めつけることがしばしば必要である故に、この特徴は困難性を与え得る。この問題を克服するためにダブルクリンプ技術が普通使用される。この技術において、ケーブルが張力をかけられる前に、ケーブルは二つのクリンプ部品を通して通過される。張力をかけた後、頂部のクリンプ部品がケーブルに付けられる。ケーブルが緩められるとき、それは再度張力をかけられることができ、そして下部クリンプ部品がケーブルに付けられる。第二のクリンプ部品がケーブルに締められた後、上部クリンプ部品は切取られ得る。このアプローチの欠点は、行われ得る再張力付与の数が、最初に張力をかける前のケーブルに取付けられたクリンプ部材の数により決定されることである。もし、追加的に再度張力をかけることが、最後のクリンプ部品がケーブルに取付けられた後に要求されるなら、ケーブルは取り除かれる必要があり得、そして、新しいケーブルが付けられる。
【０００７】
米国特許第５，３９５，３７４号明細書及び米国特許第５，４２３，８２０号明細書に示されているように、Danek Medical Inc．により製造された整形外科用ケーブル装置は、これらの問題を克服するように思える。該装置は、三つの別々の部分、即ち、二重開き口Ｌ型クリンプ、ケーブルクランプ及び張力をかける道具からなる。Danekシステムは、ケーブルの一端を二重開き口Ｌ型クリンプに付ける。ケーブルは次いで、骨部分の回りにループ状にされ、そしてＬ型クリンプの他の開口を通して通過される。ケーブルは次いで、ケーブルクランプを通して通過され、そして更にテンショナーを通される。張力をかけるデバイスは、椎骨の回りにケーブルを締めるために使用される。一度、適切な張力が達成されると、ケーブルクランプは、所定位置にケーブルを一時的に固定するために締められる。ケーブルクランプが非永久的確保デバイスとして作動する故に、使用者は、使用の間に多数回、ケーブルに再度張力をかけることから開放される。使用者が終了されたとき、ケーブルは、ケーブル上にＬ型クリンプの第二のクリンプ部分をかしめることにより所定位置に固定される。Danekケーブリングシステムは、Acromed（商標）システムにより使用されたような複数のクリンプの必要性を回避するが、しかし、それは、所定位置にケーブルをケーブルを確保するためにクリンプに未だ依存している。
【０００８】
所定位置にケーブルを確保するためにクリンプを使用する欠点は、クリンプが非常に信頼性に欠けると言うことである。クリンプは典型的には、ケーブルにそれらを付けることにより使用者により圧縮される。しかし、予期し得るかつ矛盾のない量の変形が生じ得るように、クリンプの変形のパーセンテージを制御することは、非常に困難であり得る。もし、クリンプが過剰に変形されるなら、ケーブルストランドのいくつかははずされて、接続部でのケーブルの力を減じ得る。逆に、クリンプが変形下にあるなら、クリンプは、手順が終了した後、ケーブルが緩むことを防ぐことができないかもしれない。
【０００９】
ケーブルシステムを使用するときに遭遇する他の問題は、ケーブルがそれ自体と交叉するところの点に関して特定の位置へとケーブルを強制することである。いくつかの場合において、ケーブルの末端が平行な配向にあるという利点がある。そのような配向は、コネクターの最小のプロフィールを許す。小さいプロフィールの幅は通常、洞形成及び軟らかい組織の炎症を最小にするために望まれる。平行な配向は時々、ケーブルに鋭い屈曲を生じ得、それにより、システムに応力を生じせしめる。この応力を克服するために、ケーブルの両端が互いの関係において直角の配向であることが要求される。
【００１０】
米国特許第４，９６６，６００号明細書に示されているように、Acromed（商標）装置は、所望のケーブルの配向を達成するために多数の方法において使用され得る。一の方法において、ケーブルは永久的にループにされたアイレット端を含む。ケーブルの他端は、ケーブルの両端が直角の様式で配向されるところのループを形成するためにアイレットを通して通過され得る。他の方法において、ケーブルの両端は、この目的のためにデザインされた特別のコネクターを使用することにより平行な配向に保持され得る。米国特許第５，５６９，２５３号明細書に示されているように、Danekシステムはまた、平行又は直角な配向におけるケーブルの両端を持つ使用のためにデザインされる。Danekシステムは、夫々の配向のための特別にデザインされたコネクターの使用に依存する。Acromed及びDanekシステムはいずれも、ケーブルが平行及び直角の配向の両方に位置付けられ得るであろうところの単一のコネクターを開示している。
【発明の開示】
【発明が解決しようとする課題】
【００１１】
上記の方法及びシステムは、なかんずく、ケーブルに再度張力をかけること、並びにケーブルの複数配向を可能にするところの装置の必要性を不十分に取り扱う。該装置はまた、正しい位置にケーブルを保持するために付けられたクリンプに依存する。前に述べたように、そのようなクリンプは信頼性に欠け得る。それ故、単一デバイスにおいて、ケーブルが再度張力をかけられることを可能にする能力、非クリンプ確保機構、及び複数のケーブル配向を組込んでいるところのケーブルシステムを考え出すことが所望される。
【課題を解決するための手段】
【００１２】
本発明のある実施態様は、ヒトの骨要素を取り巻くループにケーブルを保持するように適合したコネクター及びテンショナーを含む。コネクターは、コネクター本体、ケーブル、及びコネクター本体内にケーブルを確保するために適合したピンを含み得る。本明細書の文脈において術語「ケーブル」は、細長い可撓性の部材を意味すると解釈される。本明細書の文脈において術語「ピン」は、細長い非可撓性の部材を意味すると解釈される。
【００１３】
コネクター本体は好ましくは、第一のアーム及び第二のアーム、内部空洞、及び少なくとも二つの導管を含む。第一及び第二のアームは好ましくは、コネクター本体が実質的にＵ字型であるようにコネクター本体の同一の面から延びる。内部空洞は好ましくは、コネクター本体全体を通して長手方向に延び、かつ二つのアームの間を通る。導管は好ましくは、内部空洞に直角に、コネクター本体全体を通して横方向に延びる。導管は好ましくは、ケーブルがダクトを通して通過されてループを形成するとき、ケーブルの両端が互いに対して実質的に平行な位置に配向され得るように配向される。導管は好ましくは、内部空洞に近接して位置される。コネクター本体は、導管と内部空洞との間に位置付けられているところの少なくとも一つの開き口を含み得る。コネクター本体は好ましくは、内部空洞に二つの分離した導管を接続するところの二つの開き口を含む。導管、開き口、及び内部空洞は、導管を通して通過するケーブルが、内部空洞内に開き口を通して延び得るような互いの関係に配向される。
【００１４】
ケーブルは好ましくは、ケーブルが人の骨の一部を係合するためにループを形成し得るように実質的に可撓性である。ケーブルは好ましくは、ケーブルが導管を通して自由に通過し得るような直径である。ケーブルはまた好ましくは、それが導管から、開き口を通って、そして内部空洞内に延び得るような直径である。ケーブルは好ましくは、ケーブルの一端が導管を通して通過することを禁止し得るところの先端を含む。
【００１５】
ピンは上側の部分及び下側の部分を含む。上側の部分は、ピンの上側の部分が内部空洞を通して通過することを禁止されるように、内部空洞の直径より実質的に大きい直径を有し得る。ピンの下側の部分は、ピンの下側の部分が内部空洞内にフィットするように内部空洞の直径より実質的に小さいところの直径を有し得る。
【００１６】
ピンは、それが内部空洞内にケーブルを確保するためにケーブルに対して押圧する力を働かし得るところの内部空洞内に位置付けられ得る。ケーブルは骨の回りにそして導管を通してループ状にされ得る。続いて、コネクター本体内にピンを位置付けることは、所定位置にケーブルを確保し得る。ケーブルが確保されると、ケーブルはもはやコネクター内で動くことができない。ピンの底部エッジは、内部空洞内にピンを確保するために変形され得る。
【００１７】
より好ましくはピンは、ケーブルが通される前に、コネクター本体の内部空洞内に据えられる。ピンは、ピンの底部エッジを変形することにより内部空洞内に確保され得る。ピンの取り除きは、変形された底部エッジにより禁止され得る。ピンは、内部空洞内に位置付けられると、実質的に回転可能であり得る。ピンの上側部分は、少なくとも二つの平らなエッジを含むことが出来、ここで、該エッジは、ピンの上側部分の向かい合う側面上で配向される。二つのエッジ間の距離は、コネクター本体から延びる二つのアーム間の距離より小さくあり得る。アームは、ピンの回転が邪魔されるようにエッジと相互作用し得る。ピンは、十分な力がアームの障害力を克服するために適用されるとき、回転可能であり得る。
【００１８】
ピンは好ましくは二つの溝を含む。ピンが内部空洞内に挿入されるとき、ケーブルがコネクター本体を通って自由に通過し得るように溝は開き口と整列され得る。溝が開き口に直角であるようにピンが内部空洞内に挿入されると、ピンはまた回転され得る。ケーブルがコネクター本体を通して通過された後、ピンの回転は、コネクター本体内にケーブルを確保するためにケーブルに対して押圧する力を作用し得る。ピンは次いで回転されて、コネクター本体を通るケーブルの自由な動きを可能にする。
【００１９】
ピンは更に、ピン全体を通して長手方向に延びる開口部を含む。開口部は好ましくは、頂部部分及び下部部分を含む。頂部部分は好ましくは、ケーブルの一端の直径より実質的に大きいところの直径を有する。下部部分は好ましくは、ケーブルの先端の直径より実質的に小さな直径を有する。ケーブルの先端が開口部内に位置付けられて、ケーブルは開口部を通って、そして更に導管を通されて、ループを形成し得る。ケーブルが開口部及び導管を通して通過されるとき、ピンは、所定位置にケーブルを確保するために内部空洞内に位置付けられ得る。この位置に確保されるとき、ケーブルは、実質的に直角な配向に配向され得る。
【００２０】
ケーブルは、ケーブルの両端が実的に平行な配向に配向されるようにコネクター本体の導管を通され得る。あるいは、ケーブルはピンの開口部を通してそして導管を通されて、ループを形成することができ、ここで、ケーブルの両端は実質的に直角な配向である。
【００２１】
外科用ケーブルシステムはまた、ケーブルの張力を変化させ、かつケーブルを確保するために適合したテンショナーを含み得る。テンショナーは好ましくは、本体、コネクターに接続するためのシャフト、コネクター本体内にピンを位置付けるためのドライバー、及びシャフトを調節するためのアームを含む。
【００２２】
シャフトは好ましくは、それが本体の両側から延びるように本体内に据え付けられる。アーム及びシャフトは好ましくは、アームが本体の一端から引っ込むか又は延びるように調節されることができるように接続される。本体は、本体に対してシャフトの位置を確保するところのストッパーを含み得る。
【００２３】
シャフトは好ましくは、コネクターを保持するのに適合された先端を含む。先端は、コネクターに連結するために形作られているところの凹んだ開口部を含み得る。シャフトはまた、シャフトを通って長手方向に延びる開口部を含み得る。シャフトの開口部は好ましくは、ドライバーがシャフトを通ってそしてコネクター上に通過できるように適合される。
【００２４】
本体は、本体の一部に対してケーブルを確保するために適合したケーブルクランプを含み得る。本体は好ましくは、少なくとも二つのケーブルクランプを含む。ケーブルクランプは、ケーブルがコネクターを通されそしてヒトの骨の一部の回りを通された後、本体の一部に対してケーブルを確保し得る。ケーブルが本体に対して確保された後、シャフトの動きがケーブルの張力を変化させるようにシャフトがコネクターに係合し得る。
【００２５】
ドライバーは、コネクターのピンに係合するように適合した末端を含み得る。ドライバーは好ましくは、ドライバーが円形動作で動かされることを可能にするハンドルを含む。コネクターがシャフトと接触するときに、シャフトは好ましくは、ドライバーがピンに係合することを可能にするところの、シャフトを通して長手方向に延びる開口部を含む。ドライバーは、ドライバーの回転がピンを、コネクター内にケーブルを確保するところの位置へと回転させるようにピンを係合し得る。ケーブルが確保されると、ケーブルはもはやコネクター内で動くことができない。ケーブルを確保した後、ケーブルがコネクター内でもう一度可動性を有することができるところの位置にピンを動かすためにドライバーが回転され得る。
【００２６】
他の実施態様において、突出部がピンの上側部分上に作られ得る。突出部は好ましくは、突出部及びロッキング部分が一緒になってピンの回転を禁止するようにコネクター本体上に作られたロッキング部分と相互作用するように形成される。コネクター本体は好ましくは、少なくとも一つの突起物から作られたロッキング部分を含む。ロッキング部分は好ましくは、コネクター本体の側面に沿って延びる。突起物は好ましくは、突出部を受けるための開口部を含む。
【００２７】
突出部は好ましくは、ピンがロックされていない位置にあるとき、ロッキング部分から離れて配向される。ピンがロックされていない位置にあるとき、ケーブルはコネクターを通して自由に動き得る。ピンがロッキング位置にあるとき、ケーブルは好ましくは、コネクターを通して動くことを禁止される。ロックされた位置において、ピンは、突出部が、突起物により形成された開口部内に存在するように位置付けられる。突出部の平らなエッジは好ましくは、突起物の平らなエッジと係合して、ピンの回転を禁止する。
【００２８】
第一の方向におけるピンの回転が実質的に禁止される一方、ピンは反対方向に回転され得る。第一の方向に回転されたとき、突出部の丸くされたエッジがロッキング部分の突起物に接触して、ピンの回転を少し禁止する。ピンに十分な回転力を与えることは、突起物を外側に僅かに反らせることができて、突出部が突起物を超えてそしてロッキング位置から離れて回転されるために十分な空間を与える。このようにして、ピンはロックされていない位置に動かされ得る。
【００２９】
他の実施態様において、二つのロッキング部分を含むコネクターは、二つの突出部を含むピンと接続して使用され得る。コネクターの第一のロッキング部分は好ましくは、第二のロッキング部分の反対側に配向される。ピンは好ましくは、互いに反対に配向された二つの突出部を含む。各突出部は好ましくは、丸くされた面と平らな面を含む。
【００３０】
ケーブルがコネクター内に確保されるべきとき、ピンは第一の方向に回転され得る。この方向の回転は好ましくは、ロッキング位置にピンを動かす。ピンがこのロッキング配向に位置付けられるとき、突出部はロッキング部分の開口部内へと動く。従って、ピンを回転することによりケーブルを確保する動作は好ましくは、ケーブルを確保する方向と反対の方向の回転が禁止されるような位置に突出部を動かす。
【発明の効果】
【００３１】
本発明の利点は、ケーブルが、必要なときにコネクター内に確保され又は動き得ることである。
【００３２】
本発明の他の利点は、ケーブルがクリンプの使用なしに所定位置に確保され得ることである。
【００３３】
更に他の利点は、本発明は、ケーブルの両端が互いに関して直角な配向又は互いに関して平行な配向にあることを可能にし得ることである。
【００３４】
二つの突起物及び二つのロッキング部分の使用は、ケーブルがコネクター本体内に確保されるときはいつでもピンがロックされた位置に確保され得ると言う利点を有する。加えて、二つの突起物は、ピンがロックされた位置にあるとき、時計回り方向のピンの回転に対する高められた抵抗を与え得る。
【発明を実施するための最良の形態】
【００３５】
本発明の更なる利点は、好ましい実施態様の下記の詳細な説明から及び添付図面を参照して関して当業者に明らかになるであろう。
【００３６】
本発明は、種々の変形及び替りの形態を可能にする一方、その特定の実施態様は、図面における例により示されており、かつここで、詳細に述べられるであろう。しかし、図面及びそれに対する詳細な記述は、開示された特定の形態に本発明を限定することを意図しないが、その一方で、その意図は、特許請求の範囲により規定された本発明の精神及び範囲内に属する全ての変形、同等物及び代替物を包含することであることが理解されるべきである。
【００３７】
図１は、本発明の教示に従って構成されたコネクター２０の実施態様を示す。コネクター２０は、コネクター本体２４及びピン２２を含む。ケーブル１０は、導管２６に通されて、ヒトの骨の一部と係合するためのループを形成し得る。ケーブル１０は、種々の外科手術に関連する種々のヒトの骨部分の回りで輪にされ得る。外科用ケーブルシステムを使用し得るところの外科手術は、限定されるものではないが、脊椎手術、全股関節部の関節形成、骨折固定、切開心臓手術に続く胸骨の縫合、及び下顎骨骨折修復のための口／顔の手術を含む。ケーブル１０は好ましくは、ヒト脊髄の一部を係合するために使用される。
【００３８】
本明細書の文脈中術語「ケーブル」は、細長い可撓性の部材を意味すると理解される。ケーブル１０の実施態様が、図２に示されている。ケーブル１０は、誘導部分１２、主要部分１４、及び先端１６を含む。主要部分１４は好ましくは、実質的に可撓性の撚られた金属ワイヤを含む。主要部分１４は、鋼、ナイロン、又は種々のプラスチックを含む（しかし、これに限定されない）任意の実質的に可撓性の物質を含み得る。主要部分１４は好ましくは、チタン又はステンレス鋼から作られる。
【００３９】
ケーブル１０は好ましくは、ケーブルの一端に取付けられた誘導部分１２を持つ。誘導部分１２は、主要部分１４より実質的に可撓性の小さい撚られていないワイヤを含み得る。誘導部分１２は、鋼、ナイロン、又は種々のプラスチックを含む（しかし、これに限定されない）任意の実質的に可撓性の物質を含み得る。誘導部分１２は好ましくは、チタン又はステンレス鋼から作られる。誘導部分１２は好ましくは、ケーブル１０の主要部分１４と同一の物質で作られる。誘導部分１２は、骨の回りにかつコネクター２０の種々の開口部を通してケーブル１０を案内するために使用され得る。
【００４０】
ケーブル１０は、ケーブルの一端に取付けられた先端１６を含み得る。先端１６は好ましくは、主要部分１４の直径より実質的に大きい直径である。先端１６は、主要部分と同一の物質から作られ得る。先端１６は好ましくは、チタン又はステンレス鋼から作られる。先端１６は、先端１６が導管２６を通過することを禁止するように、導管２６の直径より大きくあり得る（図１に示されている）。このようにして、先端１６は、ケーブル１０が導管２６を完全に通過することを防ぐために機能し得る。
【００４１】
ケーブル１０は好ましくは、ケーブルコアの回りに複数のワイヤストランドを一緒に撚ることにより作られる。ワイヤストランドは好ましくは、中心のフィラメントの回りに螺旋方向に６本のフィラメントを撚ることにより作られる。フィラメントは、０．００５インチより小さい、そしてより好ましくは０．００３インチの直径にワイヤの直径を減じることにより作られ得る。ケーブルコアは好ましくは、中心のストランド上に螺旋方向に６本のワイヤストランドを撚ることにより作られる。ケーブル１０は好ましくは、ケーブルコア上に１２本のストランドを撚ることにより作られる。ストランドが撚られてケーブル１０を形成した後、ケーブルは、滑らかな表面を与えるために繰返しハンマーでたたかれ得る。ケーブル１０は、切断装置により適切な長さに切断され得る。ケーブル１０は好ましくは、レーザーにより切断される。切断プロセスの間にケーブル１０上に張力を与えることにより、ケーブルの一端が、大きくされた先端１６に形成され得る。誘導部分１２は、使用前に、ケーブル１０の一端上に溶接され得る。ケーブルは、製造手順の間に繰り返し清掃され得る。
【００４２】
図３は、コネクター２０のコネクター本体２４の断面図を示す。コネクター本体２４は好ましくは、コネクター本体２４内にピン２２を保持するための内部空洞２８を有する。内部空洞２８は、実質的にシリンダー形状であり、そして好ましくは、コネクター本体２４全体を長さ方向に通過し得る。コネクター本体２４は、コネクター本体全体を横方向に通過するところの導管２６を含み得る。導管２６は好ましくは、内部空洞２８に実質的に直角に配置される。コネクター本体２４は好ましくは、コネクター本体全体を横方向に通過する少なくとも２個の導管２６を含む。導管２６は好ましくは、開き口３０を経て内部空洞２８に通ずる。導管２６は好ましくは、導管内にあるケーブル１０が内部空洞２８中に延び得るように位置付けられる。
【００４３】
図４に示されているように、ピン２２は好ましくは、上側部分３６及び下側部分４０を含む。ピン２２はまた、上側部分３６と下側部分４０との間に配置された遷移部分３８を含み得る。上側部分３６は好ましくは、下側部分４０の直径より実質的に大きな直径である。上側部分３６は好ましくは、それが内部空洞２８を通過することができないような直径である。ピン２２の下側部分４０は好ましくは、下側部分が内部空洞２８中にフィットし得るような直径である（図２に示されている）。遷移部分３８の直径は、上側部分３６から下側部分４０に向う方向に細くなるように変化され得る。ピンの底部４３は、内部空洞２８中にピン２２を実質的に確保するために外側に反られてよい。
【００４４】
図５に示されているように、他の実施態様において、ピン２２は好ましくは、二つの溝４２を含む。溝４２は、ケーブル１０の直径より実質的に大きい幅を有するところの、実質的に矩形の形状であり得る。溝４２は好ましくは、ピン２２の下側部分４０の向かい合う側に配置される。図９を参照して、ピン２２は、溝４２が導管２６により規定される平面に存在するように内部空洞２８中に存在し得る。溝４２は、導管２６と実質的に整列されてよく、ここで、開き口３０は夫々の導管及び溝との間に位置される。ピン２２は、内部空洞２８内に配置されることができて、ここで、溝４２は、ケーブル１０がコネクター本体２４を自由に通過し得るように導管２６と実質的に整列される。ピン２２はまた、内部空洞２８内に配置されることができて、ここで、溝４２は、ケーブル１０がコネクター本体２４内に確保されるように導管２６に実質的に垂直に配置される。
【００４５】
図６に示されているように、他の実施態様において、ピン２２は好ましくは、開口部４４を含む。開口部４４は好ましくは、実質的にシリンダー形状であり、かつ好ましくはピン全体２２を長手方向に通過する。ピンは、開口部がＵ形状又はＶ形状であるように開口部の一部分を取り囲み得る。ピンは好ましくは、開口部全体を取り囲む。開口部４４は好ましくは、上側部分４６及び下側部分４８を含む。ピン２２はまた、上側部分４６と下側部分４８との間に配置された遷移部分４７を含み得る。上側部分４６は好ましくは、下側部分４８の直径より実質的に大きな直径である。上側部分４６の直径は好ましくは、ケーブル１０の先端１６の直径より実質的に大きい。下側部分４８の直径は好ましくは、ケーブル１０の先端１６の直径より実質的に小さい。このように、開口部４４は、先端１６を持つケーブル１０が開口部を完全に通過するのを防ぎ得る。
【００４６】
開口部４４の上側部分４６は、ねじり力を与えるために適合された任意の適切なデバイスと結合するために選ばれ得る。上側部分４６は、平頭ねじりデバイス、例えば、マイナス型ねじ回しを受けるために実質的に矩形であり得る。上側部分４６はまた、十字型頭のねじりデバイス、例えば、プラス型ねじ回しを受けるために実質的に十字形であり得る。上側部分４６は好ましくは、六角頭ねじりデバイス、例えば、アレンレンチを受けるために六角形である。
【００４７】
図７は、一実施態様に従うループを形成するためにコネクター本体２４を通されたケーブル１０を持つコネクター２０を示している。ケーブル１０は好ましくは、ヒトの骨要素を取り巻いて導管２６を通され、そして、ループを形成するために別の導管２６を通して元に戻される。ループは、ケーブル１０の両端が、互いに関して実質的に平行の配置に存在するように形成される。ケーブル１０は好ましくは、ヒトの骨要素を取り巻いて導管２６を通され、そして、ケーブルが最初に出たところの面３３と反対側の面３５からコネクター本体２４に再び入れられて、ループを形成するために別の導管２６を通して元に戻される。ケーブル１０が、ヒトの骨要素を取り巻いてループ状にされ、そして、コネクター本体内にケーブルを確保するためにコネクター本体２４を通して通過された後、ピン２２がコネクター本体２４内に挿入され得る。ピン２２は、コネクター本体内にケーブル１０を確保した後、コネクター本体から取り除かれることができて、ケーブルがコネクター本体内で動かされることを可能にする。ピン２２の除去は、ピンの底を変形させることにより防ぎ得る。
【００４８】
図８は、ケーブル１０が好ましくは、ヒトの骨要素を取り巻いて導管２６を通され、そして、ケーブルが最初に出たところのコネクター本体の同一の面３３からコネクター本体２４に再び入れられて、ループを形成するために別の導管２６を通して元に戻される。ピン２２は、コネクター本体内にケーブル１０を確保するためにコネクター本体２４内に挿入され得る。ケーブル１０が確保されている間、ケーブルはコネクター２０でもはや動くことができない。ピン２２は、コネクター本体内にケーブル１０を確保した後、コネクター本体から取り除かれることができて、ケーブルがコネクター本体内で動かされることを可能にする。
【００４９】
図９は、ケーブル１０が好ましくは、ヒトの骨要素を取り巻いて開口部４４を通され、そして、ループを形成するために導管２６を通して元に戻されるところの他の実施態様を示す。このようにして、ケーブル１０の両端が、互いに関して実質的に垂直の配置に存在し得る（図示せず）。ピン２２は、コネクター本体２４内にケーブル１０を確保するためにコネクター本体２４内に挿入され得る。ピン２２は、コネクター本体２４内にケーブル１０を確保した後、コネクター本体２４から取り除かれることができて、ケーブルがコネクター本体内で動かされることを可能にする。ケーブル１０における張力が、開口部４４の下側部分４８に対してケーブルの先端１６を引張り得る。このようにして、ケーブル１０は、開口部４４内で動くことを防止され得る。
【００５０】
ピン２２は、ケーブル１０が導管２６を通される前に、内部空洞２８内に配置され得る。ケーブル１０は、ピン２２が内部空洞２８内に据え付けられている間に、コネクター本体２４の導管２６を通されることができる。図１０及び１２に示されているように、ピン２２は好ましくは、ピンの溝４２が導管２６と実質的に整列されるようにように配置される。ケーブル１０がコネクター本体２４を通して通過された後、ピン２２は、ピンの溝４２が導管２６と実質的に直角になるように回転され得る。結果として、図１１及び１３に示されているように、ピン２２の溝が切られていない部分が、コネクター本体２４にケーブル１０を押し付けて、ケーブルを確保し得る。コネクター本体２４内にケーブル１０を確保した後に、ピン２２は更に、溝４２が導管２６ともう一度整列されるように回転され得る。このようにして、ケーブル１０は、コネクター本体２４内で繰り返し動かされそして確保され得る。
【００５１】
図９に示されているように、他の実施態様において、ケーブル１０は、ピン２２及びコネクター本体２４の導管２６を通され得る。ピン２２は、コネクター本体内の固定位置にケーブル１０を確保するために、コネクター本体２４内で回転され得る。コネクター本体２４内の固定位置にケーブル１０を確保した後、ピン２２は更に、ケーブルが再びコネクター本体内で可動であるように回転され得る。ケーブル１０における張力が、開口部４４の下側部分４８に対してケーブルの先端１６を引張り得る。このようにして、ケーブル１０は、開口部４４内で動くことを防止され得る。
【００５２】
図９に示されているように、コネクター本体２４は好ましくは、コネクター本体の頂部面から伸びている二つの実質的に平らなアーム３２を有する。アーム３２は好ましくは、互いに反対側に位置付けられ、そして、内部空洞２８は好ましくは、二つのアーム間に位置付けられる。ピン２２の上側部分３６は、少なくとも二つの実質的に平らなエッジ３４を有し得る。ピン２２の上側部分３６はより好ましくは、四つの実質的に平らなエッジ３４を有する（図７に示されている）。エッジ３４は好ましくは、ピン２２の上側部分３６の向かい合った側に配置される。ピン２２は、エッジ３４がコネクター本体２４のアーム３２により含まれるように内部空洞２８内に据え付けられ得る。アーム３２は、ピン２２の回転が妨害されるようにエッジ３４と相互作用し得る。ピン２２は、十分な力がピンに与えられてアーム３２の障害力に打ち勝つとき、回転可能であり得る。
【００５３】
図１０に示されているように、ピン２２は、内部空洞２８内に挿入されることができ、そして、ピンの底部４３が外側に反らされることができる。内部空洞２８の底部４５の直径は好ましくは、テーパー状にされていて、コネクター本体２４の底部４５に向う方向により広がる。ピン２の底部４３の反りは、内部空洞２８のテーパーに合せてテーパー状にされている。ピン２２は好ましくは、内部空洞２８内で回転し得る。ピン２２の下側部分４０は好ましくは、内部空洞２８内に位置付けられたとき、下側部分が導管２６の壁に対してケーブル１０を押し付けてケーブルを所定位置に確保し得るような直径である。
【００５４】
ケーブル１０は好ましくは、ループに形成され、そして、コネクター本体２４内にケーブルを確保するに先立って張力をかけられる。ケーブル１０が張力下にあるとき、ピン２２のエッジ３４の角が、アーム３２の内面上にあることができる。エッジ３４の角上にアーム３２により作用される力は、ケーブル１０の張力の故にピン２２が回転することを防止し得る。しかし、ピン２２は、ケーブル１０がコネクター本体２４を通って動き得ることを可能にするところの位置にオペレーターにより回転され得る。確保されない位置にピン２２を動かすためにオペレーターに要求される力は好ましくは、確保された位置にあるときにケーブル１０によりピンに作用される回転力より大きい。
【００５５】
外科用ケーブルシステムは好ましくは、ケーブル１０の張力を変化し、そしてコネクター２０内にケーブルを確保するために適合したテンショナー５０を含む。テンショナー５０の好ましい実施態様は図１４に示されている。テンショナー５０は好ましくは、本体５２、コネクター２０に接触するためのシャフト５８、コネクター２０内にピン２２を位置付けるためのドライバー５６、及びシャフト５８の位置を調節するためのアーム５４を含む。テンショナー５０の一部は、限定されるものではないが、インストルーメントグレードのステンレス鋼、アルミニウム、及び種々のプラスチックを含む様々の実質的に非可撓性の物質から作られ得る。
【００５６】
図１５は、本体５２の側面断面図を示す。本体５２は好ましくは、実質的に矩形であり、かつ中空である。本体５２は好ましくは、実質的に円形の前方開口部８２及び実質的に長円形の後方開口部８４を含む。本体５２はまた、本体の前方エッジ８１から延びるブッシングホルダー８６を含み得る。前方開口部８２は、ブッシングホルダー８６を通って通過し得る。前方開口部８２及び後方開口部８４は、剛直な細長い部材が両開口部を通って通過され得るように整列され得る。本体５２の前方エッジ８１は覆いがされておらず、本体内にアーム５４の挿入を可能にする。
【００５７】
図１６は、本体５２の後方開口部８４の好ましい実施態様を示している。後方開口部８４は好ましくは、二つの曲線部分と二つの平らな部分を含む。曲線部分は、後方開口部８４の頂部及び底部に位置付けられてよい。平らな部分は、底部曲線部分に頂部曲線部分を接続して、実質的に長円形の開口部を形成してよい。
【００５８】
図１７に示されているように、アーム５４は実質的に中空であり、そして好ましくは、本体５２の中空部分内に据え付けられる。アーム５４は、アームピン７２により適所に保持され得る。アームピン７２は、実質的にシリンダー状かつ中空であり得る。アームピン７２は、アーム５４全体中に延び得、かつ本体５２の側面に部分的に延び得る。アームピン７２は、アーム５４が約４５度の範囲内においてアームピンの回りを旋回し得るように本体５２内に据え付けられ得る。図１７に示されているように、アーム５４は、アームの頂部５３が本体５２と接触するとき、前方の位置に停止され得る。アーム５４は、アーム５４の底部５５が本体５２と接触するとき、後方の位置に同様に停止され得る。アーム５４の側面は好ましくはアームの頂部より上に延びて、実質的にＵ字形のポケットを形成する。Ｕ字形のポケットは、アームの側面内に延びているアーム５４の頂部上に据え付けられ得るところのプッシュタブピン８８を保持するために適合され得る。
【００５９】
図１７に戻って、プッシュタブ６４は、実質的に矩形であり得る。プッシュタブ６４は好ましくは、実質的に円形の開口を含む。プッシュタブ６４は、プッシュタブピン８８の前方部分に位置付けられ得る。プッシュタブ６４の開口は好ましくは、シャフト５８が開口を通して通過され得るように寸法どりされる。プッシュタブ６４は好ましくは、本体５２の中空部内に据えられる。シャフト５８は好ましくは、プッシュタブ６４の開口を通して取付けられ、そして、プッシュタブの下側部分は好ましくは、プッシュタブピン８８に対してぴったり合わされる。アームスプリング９２はまた、シャフト５８上に据えられることができて、好ましくは、プッシュタブ６４と本体５２の前方面８１との間に据えられ得る。
【００６０】
アーム５４は好ましくは、アームの底部部分５５が本体５２の後方部分８３に向って動かされ得るようにアームピン７２の回りを旋回し得る。アーム５４の後方への動きは好ましくは、プッシュタブピン
８８を本体５２の前方面８１に向って動かす。プッシュタブ６４は好ましくは、プッシュタブピン８８に支えられている。従って、前方面８１に向うプッシュタブ６４の動きは好ましくは、プッシュタブピン８８を同様の方向に動かす。結果として、プッシュタブ６４は、シャフト５８と係合することができて、本体５２の前方開口部８２を通ってシャフトを進ませる。アーム５４の動きを伴って、プッシュタブ６４はまた、アームスプリング９２を押し付け得る。アーム５４上の何らかの圧力の不存在下に、アームスプリング９２は好ましくは、プッシュタブ６４、プッシュタブピン８８及びアーム５４がそれらの本来の位置に戻るように伸びる。
【００６１】
本体５２は更に、ロックタブ６２及びロックスプリング９４を含み得る。ロックタブ６２は実質的に矩形であり得る。ロックタブ６２は好ましくは、実質的に円形の開口を含む。図１７に示されているように、ロックタブ６２は、本体５２の頂部から下方向に延び得る。開口は好ましくは、シャフト５８が開口を通って通過され得るように寸法どりされる。ロックスプリング９４はまたシャフト５８上に存在し得、好ましくは、ロックタブ６２と本体５２との間に位置付けられる。ロックスプリング９４は好ましくは、ロックタブ６２に力を働かせ、本体５２の後方部分８３からそれを遠ざける。開口の下側部分がシャフト５８に接触するとき、上記の方向におけるロックタブ６２の動きは好ましくは制限される。シャフト５８上にロックタブ６２により作用される力は、本体５２を通るシャフトの後方への動きを制限し得る。
【００６２】
ロックタブ６２は、開口がもはやシャフト５８に接触しなくなるように本体５２の前方面８１に向って動かされ得る。この前方の位置に位置されたとき、ロックタブ６２はもはやシャフト５８の後方への動きを制限し得ない。ロックタブ６２は好ましくは、前方の位置に動かされて、シャフト５８が本体５２内を後方に動かされることを可能にする。本体５２の前方に向うロックタブ６２の動きはまた、ロックスプリング９４を圧縮し得る。ロックタブ６２に与えられている圧力が開放されるとき、ロックスプリング９４は好ましくは、ロックタブ６２をその出発位置に押し戻す。
【００６３】
シャフト５８は、限定されるものではないが、シリンダー状、長円又は台形を含む様々の形状であり得る。シャフト５８は好ましくは、実質的にシリンダー状かつ中空である。シャフト５８は、シャフト５８の長さ方向全体に沿って長手方向に延びるところの二つの平らなエッジ５９を含み得る（図１４に示されている）。エッジ５９は好ましくは、シャフト５８の向かい合う側面に位置付けられ、実質的に長円形のシャフトを与える。図１６に戻って、本体５２の後方開口部８４は好ましくは、相補的形状のシャフト５８が後方開口部を通って通過することができる形状になっている。後方開口部８４は好ましくは、本体５２内でのシャフト５８の回転を禁止する形状になっている。シャフト５８の中空部分の幅は、ドライバー５６の直径より僅かに大きく、それにより、ドライバーがシャフトを通って自由に通過できる。図１７に示されているように、シャフト５８はまた、シャフトの一端にノブ９６を含み得る。ノブ９６は、シャフト５８上に捻じ込まれるところのネジ山付きナットであり得る。ノブ９６は、本体５２内にシャフト５８を位置付けるために使用され得る。
【００６４】
シャフト５８は好ましくは、コネクター２０を保持するために適合されているところのシャフトの一端に近い先端８０を含む。先端８０は好ましくは、本体５２の前方面８１から延びるところのシャフト５８の一端に位置付けられる。図１８は、先端８０の好ましい実施態様を示す。先端８０は、シャフト５８の直径より僅かに大きくあり得る。先端８０は好ましくは、先端の外表面に沿って延びる二つのくぼみ７８を含む。くぼみ７８は好ましくは、先端８０の向かい合う側面上に位置付けられる。くぼみ７８は好ましくは、くぼみの幅がケーブル１０の幅より実質的により大きいように寸法どりされる。くぼみ７８の深さは好ましくは、テーパー状にされ、シャフト５８の一端から本体５２に向う方向により浅くなっている。
【００６５】
先端８０は、コネクター２０に接続されるために適合されているところの凹んだ開口部を含み得る。先端８０の前面は図１９に示されている。先端８０の前面は好ましくは、第一のスロット９６及び第二のスロット９８を含む。第一のスロット９６は好ましくは、二つのくぼみ７８により形成された先端８０の平面において、先端８０の端を横切って延びる。第二のスロット９８は好ましくは、第一のスロット９６に実質的に垂直な配置で延びる。第二のスロット９８の深さは、第一のスロット９６の深さより実質的により大きくあり得る。コネクター２０は、導管２６が先端のくぼみ７８の方向に配位されるように先端８０内に据え付けられ得る。この配置は好ましくは、ケーブル１０がコネクター２０を通って、かつくぼみ７８に沿って自由に通過することを許すと同時に、コネクター２０は先端８０内に据え付けられる。
【００６６】
図２０、２１及び２２に示されているように、本体５２はまた、実質的にシリンダー状でかつ中空のブッシングカバー６６を含み得る。ブッシングカバー６６は好ましくは、上部チャンバー１００、下部チャンバー１０２、仕切り１０４及び二つのアーム１０６を含む。図１７に示されているように、上部チャンバー１００は好ましくは、ブッシングカバー６６がブッシングホルダー８６を覆って挿入され得るように寸法どりされる。仕切り１０４とブッシングカバー６６の頂部１０１との間の距離は、ブッシングホルダー８６が本体５２から延びる距離より実質的に小さくあり得る。該距離は、ブッシングカバー６６と本体５２の前方面８１との間にスペースが存在し得るように設定される。仕切り１０４は、シャフト５８がブッシングカバーを通って通過することを許す距離で、ブッシングカバー６６の内部に部分的に延びる。図１７に示されているように、下部チャンバー１０２は好ましくは、ブッシング６０及びブッシングスプリング９０がチャンバー内に一緒に挿入されることを可能にするように寸法どりされる。アーム１０６は好ましくは、ブッシングカバー６６の向かい合った側面から延びる。図２２に示されているように、各アーム１０６の一端は好ましくは、実質的にＵ字形状の溝に形作られる。ブッシングスプリング９０は好ましくは、下部チャンバー１０２内にフィットするように寸法どりされる。ブッシングスプリング９０は好ましくは、ブッシング６０の上にフィットするように寸法どりされる。
【００６７】
図１７に戻って、本体５２は実質的にシリンダー状かつ中空のブッシング６０を含み得る。ブッシング６０の中空部分の幅及びシャフト５８の直径は実質的に等しいことが好ましい。中空部分の形状は好ましくは、シャフト５８の形状と相補的であることが好ましい。中空部分は、ブッシング６０の長手方向の軸を通って延び得る。ブッシング６０は好ましくは、ブッシングホルダー８６内に据え付けられる。シャフト５８とブッシング６０との係合は好ましくは、ブッシング６０がブッシングホルダー８６内に据え付けられる一方で、本体５２内でのシャフトの横方向の動きを最小にする。ブッシングホルダー８６は好ましくは、雌ネジを含む。ブッシング６０は、ブッシングホルダー８６の雌ネジとフィットするように寸法どりされたネジ切りされた一端を含み得る。ブッシング６０のネジ切りされた端は好ましくは、締め付け方向におけるブッシングの回転がネジ切りされた端をブッシングホルダー中に動かすようにブッシングホルダー８６を係合する。
【００６８】
ブッシング６０は好ましくは、ブッシングホルダー８６上にブッシングカバー６６を保持するように適合され、それにより、ブッシングカバーがブッシングホルダーの回りを自由に回転し得る。ブッシング６０は好ましくは、フランジ端を含む。ブッシングカバー６６及びブッシングスプリング９０は好ましくは、ブッシングスプリングがブッシングカバーの下部チャンバー１０２内にあるようにブッシングホルダー８６上に据えられる。ブッシングスプリング９０はブッシングホルダー８６の前方のエッジに据え得る。ブッシング６０は、ネジ切りされた端をブッシングホルダー８６のネジ切りされた部分中に捻じ込むことにより固定され得る。ブッシング６０のフランジ端は好ましくは、ブッシングホルダー８６に対してブッシングカバーを保持するためにブッシングカバー６６に対して押し付ける。ブッシング６０のフランジ端はまた、ブッシングスプリング９０を圧縮し得る。ブッシングスプリング９０は、ブッシング６０が過剰に締めつけられることを防止するように適合される。ブッシング６０の過剰な締めつけは、ブッシングホルダー８６の回りのブッシングカバー６６の回転を妨害又は阻止し得る。
【００６９】
図２３は、ケーブル１０をブッシングカバーの一部に確保するように適合されたケーブルクランプ６８を好ましく含むところのブッシングカバー６６の一部を示している。ブッシングカバー６６は好ましくは、少なくとも二つのケーブルクランプ６８を含む。ケーブルクランプ６８は好ましくは、レバー７６、ピン７０及びスプリング１０８を含む。レバー７６は、実質的に中空の外側部分１０９及びクランピング部分１１０を含み得る。レバー７６は好ましくは、実質的にシリンダー状のピン７０でブッシングカバー６６のアーム１０６に接続される。ピン７０は、レバー７６及びアーム１０６のＵ字形溝の両方を通って延び得る。ピン７０は、レバー７６がピンの回りに旋回し得るようにアーム１０６のＵ字形溝内に据え付けられ得る。
【００７０】
スプリング１０８は好ましくはピン７０上に据えられ、そしてブッシングカバー６６中にかつレバー７６に沿って延びる。スプリング１０８は好ましくは、レバー７６の中空部分に延びる。その停止位置において、スプリング１０８は好ましくは、レバー７６がブッシングカバー６６から離れて動くように中空部分１０９の内側エッジに力を働かせる。中空部分１０９がブッシングカバー６６から離れて延びるとき、クランピング部分１１０は好ましくは、ブッシングカバーに対して配置される。十分な力で圧縮されるとき、レバー７６は、クランピング部分１１０がもはやブッシングカバー６６に接触しないようにピン７０の回りに旋回し得る。ケーブル１０はレバー７６の下を通過され得、一方、クランピング部分１１０はその高くされた位置にある。クランプレバー７６の押し下げは好ましくは、スプリング１０８を圧縮する。レバー７６に与えられている力の除去は好ましくは、スプリング１０８が伸びることを可能にし、それにより、クランピング部分１１０がブッシングカバー６６に戻ることを強いる。もし、ケーブル１０が、力がレバー７６から取り去られるときに存在するなら、クランピング部分１１０はケーブルに対して圧縮されるようになり得て、それをブッシングカバー６６に対して所定位置に確保する。
【００７１】
アームスプリング９２及びロックスプリング９４は圧縮バネでありうる。ケーブルロック６８のスプリング１０８は好ましくはねじりコイルバネである。ブッシングスプリング９０は好ましくはスプリングワッシャーである。この出願の文脈において、術語「スプリングワッシャー」は、アセンブリー中の隣接する部材に所定の力を与えるように適合されたスプリングを意味する。
【００７２】
図１７に戻って、ドライバー５６はドライバーの細長い部材１１２に取付けられたハンドル１１４を含み得る。ハンドル１１４は好ましくは、ドライバー５６が実質的にＴ字形であるように、細長い部材１１２に垂直方向に取付けられているところの棒である。ハンドル１１４は、ドライバー５６がねじって動かされることを可能にするために回転され得る。細長い部材１１２はシャフト５８より実質的に長くあり得る。ドライバー５６は好ましくは、コネクター２０のピン２２に係合するように適合されたヘッド１１６を含む。ヘッド１１６は好ましくは、ハンドル１１４と反対の細長い部材１１２の端に位置付けられる。ヘッド１１６の形状は、ハンドルの回転がピンにねじる力を与え得るように、適切に凹まされた形状のピン２２と接続するように選ばれ得る。ヘッド１１６は好ましくは、ピン２２の開口部４４の上側部分４６の六角形の凹みと連結するために六角形状である。
【００７３】
シャフト５８は、実質的にシリンダー状かつ中空であり得る。シャフト５８の中空部分は好ましくは、ドライバー５６の細長い部分１１２がシャフトの中央を通って通過され得るように寸法どりされる。シャフト５８は、ドライバー５６がピン２２と係合することが出来、一方、コネクター２０がシャフトと接触するように形成される。ドライバー５６は、ドライバー５６の回転がピンに回転を生ずるようにピン２２と係合することができる。ドライバー５６は好ましくは、ドライバーの回転がピン２２を、コネクター２０内にケーブル１０を確保するところの位置へと回転させるように、ピン２２と係合する。一度、ケーブル１０が、この位置に締められたなら、ドライバー５６は、ドライバーの回転がピンを、コネクター２０内でケーブルの動きを可能にする位置へと回転させるように、ピン２２と係合することができる。
【００７４】
ヒトの骨の一部の回りに外科用ケーブルシステムを移植するための外科手法は、所望の部分の回りにループを形成すること、ケーブル１０を引張ること、そしてコネクター２０内にケーブルを確保することを含む。ループは好ましくは、ヒトの骨の一部を回ってコネクター２０を通してケーブル１０を通しそしてコネクターを通して戻すことにより形成される。ある実施態様において、ケーブル１０は二つ又はそれ以上の脊椎の回りにループ状にされ得る。他の実施態様において、ケーブル１０は脊椎及び脊椎固定装置の周りを通され得る。脊椎固定装置は、ヒト脊椎の部分を固定するように適合され、そして、棒であり得る。
【００７５】
図７に示されているように、ケーブル１０は、ヒトの骨の一部の回りにコネクター２０の導管２６を通って通過され、別の導管２６を通って戻され得る。ある実施態様において、ケーブル１０は、コネクター本体２４の後方の面３３から出てコネクター２０を通され得る。骨部分を取り囲んだ後、ケーブル１０は、前面３５からコネクター本体２４に再度入り得る。図８に示されているように、他の実施態様において、ケーブル１０は、コネクター本体２４の後方の面３３から出てコネクター２０を通され得る。骨部分を取り囲んだ後、ケーブル１０は、後方の面３３からコネクター本体２４に再度入ることができて、骨部分の回りにループを形成する。ケーブル１０の両端は、コネクター本体２４から外に延び得る。該両端は、互いの関係において実質的に平行の位置にありうる。
【００７６】
図１に示されているように、他の実施態様において、ケーブル１０は先端１６を含み得る。図７に再び戻って、先端１６は好ましくは、導管２６の直径より実質的に大きい直径である。先端１６は好ましくは、ケーブル１０が導管２６を通って完全に通過することを防止する。ケーブル１０は、コネクター本体２４の後方の面３３から出てコネクター２０を通され得る。ケーブル１０は好ましくは、先端１６がコネクター本体２４の前面３４に対して配置されるまで、コネクター本体２４を通される。骨部分を取り囲んだ後、ケーブル１０は、前面３５からコネクター本体２４に再び入り得る。他の実施態様において、ケーブル１０は、コネクター本体の後方の面３３からコネクター本体２４に再び入り得る。ケーブル１０に張力がかけられたとき、先端１６はコネクター本体２４の前面３５に対して配置され得る。先端１６は、ケーブル１０の張力が開放されるまで、コネクター本体２４の面に対して配置されたままであり得る。
【００７７】
別の実施態様において、（図１３を参照して）先端１６は好ましくは、ピン２２の開口部４４の直径より実質的に大きい直径である。先端１６は好ましくは、ケーブル１０が開口部４４を完全に通過することを防止する。ケーブル１０は好ましくは、先端１６が開口部の下側部分４８に対して配置されるまで、開口部４４を通される。ヒトの骨部分を取り囲んだ後、ケーブル１０は、導管２６の一つを通ってコネクター本体２４中を通過され得る。ピン２２は好ましくは、導管２６の一つを通るケーブル１０のこの通過を可能にするように配位される。ケーブル１０に張力がかけられるとき、先端１６は、開口部４４の下側部分４８に対して配置され得る。先端１６は、ケーブル１０の張力が開放されるまで、開口部４４の下側部分４８に対して配置されたままであり得る。
【００７８】
テンショナー５０は、ケーブル１０がヒトの骨部分の回りを取り囲んだ後、ケーブル１０における張力を増加するために使用され得る。テンショナー５０の好ましい実施態様は図１４に示されている。テンショナー５０は、先端８０がブッシング６０の前面近傍に位置付られるようにシャフト５８を位置付けることにより、コネクター２０を受けるように作られ得る。シャフト５８は、本体５２内に位置づけられることができ、一方、ロックタブ６２は前方の位置にある。ロックタブ６２は、ロックタブ６２の後方の面に圧力を与えることにより、前方の位置に動かされ得る。ロックタブ６２上の圧力は、ロックタブがテンショナー本体５２から遠ざかって動くことを可能にするために開放され得る。この開放された位置において、ロックタブ６２は、シャフト５８の後方への動きを防止し得る。
【００７９】
ケーブル１０が、ヒトの骨部分を回って、かつコネクター２０を通してループ状にされた後、コネクターは、テンショナー５０の先端８０により係合され得る。コネクター２０は、コネクターの前面及び後面がくぼみ７８（図１９参照）と整列されるように、先端８０により係合され得る。コネクター２０の頂部は、先端８０内に実質的に位置付けられ得る。ピン２２は、コネクター本体２４内に取付けられ得、そして、コネクター本体は先端８０により係合され得る。
【００８０】
ケーブルの一端は好ましくは、先端８０のくぼみ７８に沿って配置される。ケーブル端は好ましくは、ケーブルクランプ６８によりテンショナー５０に締められる。停止位置にあるとき、ケーブルクランプ６８のクランピング部分１１０は、ブッシングカバー６６の側面に対して配置され得る。十分な力で押しつけられるとき、レバー７６は、クランピング部分１１０がもはやブッシングカバー６６に接触しないように、アームピン７２の回りに旋回し得る。クランピング部分１１０は引き上げられるとき、ケーブル１０は、レバー７６の下を通過されることができる。レバー７６に与えられている力の除去は好ましくは、クランピング部分１１０をブッシングカバー６６に向って動かす。結果として、クランピング部分１１０は、ケーブルに押し付けられるようになり得、それにより、ブッシングカバー６６に対して所定位置に確保される。ある実施態様において、ケーブル１０の一つの端は好ましくは、ケーブルクランプ６８を使用してブッシングカバー６６に確保される。他の実施態様において、ケーブル１０の両端は好ましくは、ブッシングカバー６６に確保される。
【００８１】
圧力が次いで、テンショナー５０のアーム５４に与えられることができて、アームがテンショナー５０の本体５２に向う方向に動くようにアームピン７２の回りにアームを旋回させる。本体５２に向う方向へのアーム５４の動きは、本体５２から離れるシャフト５８の動きを伴い得る。アーム５４が旋回される角度は、シャフト５８が本体５２から延びる距離を決定し得る。アーム５４上の圧力が開放されるとき、アームは好ましくは、本体５２から離れる方向に動く。本体５２から離れるアーム５４の動きは好ましくは、シャフト５８の位置をもたらさない。ケーブル１０がテンショナー５０に確保されて、本体５２から離れるシャフト５８の動きは好ましくは、コネクターから離れる方向にコネクター２０を通してケーブル１０を引張る。結果として、ケーブル１０上の張力が好ましくは増加する。アーム５４は、所望の張力を達成するために必要なほど多数回、繰り返し圧力を加えられ、そして開放され得る。
【００８２】
ある実施態様において、ケーブル１０が張力をかけられた後、ピン２２は、コネクター２０内にケーブルを確保するために、コネクター本体２４中に挿入され得る。ドライバー５６は、コネクター本体２４中にピン２２を挿入するために使用され得る。別の実施態様において、ピン２２は、ケーブル１０に張力をかけるに先立って、コネクター本体２４中に据えられ得る。ピン２２は、先端８０内に位置付けられ得る。ドライバー５６は、それがピン２２に係合するまで、シャフト５８の中央を通して挿入され得る。ドライバー５６の端は好ましくは、ピン２２の開口部４４内とフィットするように形作られる。ドライバーが開口部４４内に挿入されるとき、ドライバー５６の回転は、ピン２２の回転を伴い得る。ピン２２は好ましくは、ケーブル１０が導管２６の一つを通って通過し得るように配向される。ピン２２の回転は、ピンがコネクター本体２４内にケーブル１０の一部を確保するようにピンの配向を変更し得る。ピン２２は好ましくは、確保する配向へと９０°回転される。ピン２２の回転は好ましくは、ケーブル１０に張力がかけられた後に行われる。このようにして、ドライバー５６は、先端８０からコネクターを除去することなしに、コネクター２０内にケーブル１０の一部を確保するためにピン２２を回転し得る。
【００８３】
コネクター２０内にケーブル１０を確保した後、テンショナー５０はコネクターとの係合を解かれ得る。ケーブル１０は、テンショナー５０との係合が解かれる前に、ケーブルクランプ６８から取り除かれ得る。ケーブル１０を取り除くために、圧力がレバー７６に与えられて、レバーをブッシングカバー６６から持ち上げる。結果として、クランピング部分１１０に作用された保持力が取り除かれて、ケーブル１０がクランピング部分の下から取り除かれることを可能にする。ケーブルクランプ６８からケーブル１０を取り除いた後、コネクター２０が次に、テンショナー５０の先端８０から取り除かれ得る。
【００８４】
ある実施態様において、ケーブル１０は、コネクター２０が、テンショナー５０から取り除かれた後、再度張力をかけられる必要がありうる。この状況において、コネクター２０は、テンショナー５０の先端８０中に再度挿入され得る。ケーブル１０は、テンショナー５０のケーブルクランプ６８によりテンショナー５０に対して確保され得る。ドライバー５６は、ピン２２の開口部４４中に挿入され得る。この状況において、ピン２２は、コネクター本体２４を通るケーブル１０の動きを可能にするところの配向にドライバー５６により回転され得る。ケーブル１０は、テンショナーアーム５４の操作により再度張力をかけられ得る。所望の張力が達成されるとき、ケーブル１０は、コネクター２０内にピン２２の回転により確保され得る。
【００８５】
更なる改良
図１０及び１１に戻って、ピン２２の側面が、導管１１の側面に対してケーブルを押し付けるケーブルに対する力を働かせるとき、ケーブル１０は、コネクター内に確保され得る。ピンの下側部分上の溝４２（図１０に示されている）は好ましくは、このロックされた位置においてケーブルに直角に配向される。この力は、コネクターを通るケーブル１０の動きを禁止し得る。典型的な使用の間、ケーブルをコネクターから離れる方向に引張る力が、ケーブル上に働かされ得る。この力は、ピンを、溝がケーブルに平行であるところの位置に回転させ得、即ち、コネクター本体を通るケーブルの動きを許す。この回転は典型的には、コネクターのアーム３２に接触するピン２２の上側部分により禁止される。この接触は、ピンの回転を禁止し、そして従って、系の緊張が維持される。極端な緊張の状況下において、ピン２２の上側部分上にアームにより与えられる回転に対する抵抗は、ピンの回転及びケーブルの緩みを妨げるに不十分であり得る。それ故、極端な緊張の間にピンの回転を防止するであろうところの系が考案されることが所望される。
【００８６】
一の実施態様において、突出部がピンの上側部分上に作られ得る。突出部は好ましくは、突出部及びロッキング部分が一緒にピンの回転を禁止するようにコネクター本体上に作られたロッキング部分と相互に作用するように形成される。そのような系の実施態様が、図２４ａに斜視図で示されている。該系は、コネクター本体２００及びピン２０４を含む。コネクター本体２００は好ましくは、少なくとも一つの突出部から作り上げられたロッキング部分２０７を含む。ロッキング部分２０７は好ましくは、コネクター本体２００の側面に沿って延びる。突出部は好ましくは、ピン２０４の上側部分上に形成された突出部２１１を受けるための開口部を含む。該開口部は、突出部の一部を通して形成された穴であり得る。好ましくは、該開口部は、突出部中に形成されたスロット又はくぼみであり得る（図２４ａに示されている）。
【００８７】
図２４ｂに示されている他の実施態様において、ロッキング部分は好ましくは、開口部２１０を一緒に規定するところの二つの突出部２０６及び２０８を含む。ロッキング部分は好ましくは、ピン２０４の上側部分２０２の高さの約１／４からピンの上側部分の高さに類似までの高さにコネクター本体から延びる。好ましくは、突出物２０６及び２０８の高さは、ピンの上側部分２０２の高さにおおよそ等しい。
【００８８】
ピン２０４は好ましくは、ピンの上側部分２０２から延びる少なくとも一つの突出部２１１を含む。該突出部は好ましくは、丸くされた側２１２及び実質的に平らな側２１４を含む。図２４ｂにおいて、突出部は、ピン２０４の上側部分２０２の頂部付近に描かれているが、しかし、該突出部は、ピンの上側部分の底部と頂部との間の任意のところに位置付けられる。該突出部の幅は、ピンの上側部分の高さの約１／４から約ピンの上側部分の高さ類似までの間であり得る。
【００８９】
図２５ａは、ピンの回転を禁止するための突出部２１１を含むところのピンを持つコネクターの平面図を示す。突出部２１１は好ましくは、ピンがロックされていない位置にあるとき、ロッキング部分２０７から離れて配位される。ピンがロックされていない位置にあるとき、ケーブル２０５はコネクター２００を通って動くために自由であり得る。図２５ｂにおいて、ピンは、ピンがロッキング位置にあるように、図２５ａに描かれた位置から反時計回り方向に回転された。ピンがロッキング位置にあるとき、ケーブル２０５は好ましくは、コネクター２００を通って動くことを禁止される。ロックされた位置において、ピンは、突出部２１１が突起物２０６及び２０８により形成された開口部内に今や存在するように位置付けられる。突出部２１１がロッキング位置の開口部中に配向されて、時計回り方向におけるピンの回転が禁止され得る。突出部２１１の平らなエッジ２１４は好ましくは、突起物２０６の平らなエッジと係合して、時計回り方向におけるピンの回転を禁止する。
【００９０】
時計回り方向におけるピンの回転が実質的に禁止される一方、ピンは反時計回り方向にまわされ得る。反時計回り方向に回されたとき、突出部２１１の丸くされたエッジ２１２は、ロッキング位置の突起物２０８と接触して、ピンの回転を少し禁止する。突起物２０８に接触する突出部のエッジ２１２が丸くされているゆえ、丸くされたエッジ２１２の少しの部分だけが突起物に接触する。十分な力を与えることにより、丸くされたエッジ２１２は、突起物２０８を少し外方向に反らせて、突出部が突起物２０８を通り越してそしてロッキング位置から離れて回転されるために十分な空間を与える。このようにしてピンは、ロックされていない位置に動かされ得る。
【００９１】
典型的な手順の間に、ケーブル２０５は好ましくは、ループへと形成され、かつコネクター本体２００内にケーブルを確保するに先立って張力をかけられる。図１１に示されているように、ケーブル２０５に張力がかけられた後、ピンは、ピンの下側の部分が導管の壁に対してケーブルを押圧するように内部空洞中に位置付けられる。好ましくは、ピンはロックされていない位置（図２５ａに示されている）からロックされた位置（図２５ｂに示されている）に回転されて、コネクター内にケーブルを確保する。図２５ｂに示されているように、張力をかけられたケーブルがこのようにして確保されるとき、ケーブルは、コネクターから離れる方向２２２に力を働かせ得る。ピンに働かせるとき、この力は、時計回り方向にピンを回転し得る。もし、抑制されないなら、ピンはロックされていない位置（即ち、ケーブルがもはやコネクター内に確保されないところの位置）に回転し得る。ピン上の突出部２１１の存在は好ましくは、この回転を禁止する。この回転を禁止することにより、突出部２１１は、ケーブル２０５の緩みを禁止する。
【００９２】
一つの実施態様において、ピンは、前に述べられたようにピンの下側の部分に形成された一対の溝を持ち得る。ピンの下側の部分は好ましくは、内部空洞にフィットする。溝は好ましくは、溝が導管と整列するときケーブルがコネクター中の導管を通って通過され得るように位置付けられる（図１０参照）。ピンが９０度だけ回転されるとき、ピンの溝のない部分は好ましくはケーブルを係合し、従って、ケーブルの動きを禁止する（図１１参照）。好ましくは、ピンの上側の部分の突出部２１１は、溝に直角に配位される。図２５ａ及び図２５ｂに戻って、ピンの溝（図示されていない）は好ましくは、ピンの側面２２４及び２２６に沿って配置される。図２４ａに示されているように、ピンがロックされていない位置に位置付けられているとき、溝は好ましくは、ピンの側面２２４及び２２６に沿ってケーブル２０５に平行に延びる。この配位は、ケーブルがコネクター内に形成された導管を経てコネクターを通って自由に動くことを可能にし得る。ケーブル２０５の一部は溝中に延び得る。突出部２１１は好ましくは、側面２２４及び２２６に直角な側面、例えば、側面２２８上に位置付けられる。図２４ａに示されているように、ロックされていない位置において、ピンは、突出部２１１がケーブルの一部に平行な方向にピンから延びるようにコネクター内に配向され得る。
【００９３】
ケーブルがコネクター内に確保されるべきとき、ピンは、反時計回り方向に回転され得る。この動きは、ピンの側面２２４及び２２６を及び従って溝を、ケーブル２０５に直角な配向へと好ましくは動かす。ケーブルは好ましくは、ピンの下側部分の溝のない部分と接触し、そして、コネクターの内側の導管に押し付けられる。この押し付け力は、コネクター内にケーブルを確保する。ピンがこのロッキング配位に位置されるとき、突出部２１１は、突起物２０６及び２０８により規定された開口部中に動く。このように、ピンを回転することによりケーブルを確保する動作は好ましくは、ケーブルを確保するための方向と反対の方向（即ち、時計回り方向）における回転が禁止されるような位置に突出部を動かす。
【００９４】
ロッキング位置の突起物２０８は好ましくは、ピンの過剰な回転を防止するために位置付けられる。有意な量の力がピンを回転するために与えられる必要がある故に、ピンの過剰な回転を防止するために障害物が存在することが望ましい。ピンの過剰な回転は、導管と溝との再配列をもたらし得て、ケーブルがコネクターを通って動くことを自由にし得る。ロッキング位置の突起物２０８は好ましくは、ピンのこの過剰な回転を防止する。突起物２０８は、突出部２１１の曲線を付けられたエッジ２１２が好ましくはピンの回転中に接触するところの障害物を提供し、従って、反時計回り方向のピンの更なる回転を禁止する。突出部上の曲がった面の使用は、もし、十分な追加の回転力がピンに与えられるなら、更に反時計回り方向の回転を可能にし得る。
【００９５】
図２６ａ及び２６ｂに示されているように、他の実施態様において、二つのロッキング位置を含むコネクターは、二つの突出部を含むピンに接続して使用され得る。図２６ａ及び２６ｂに示されているように、コネクターの第一のロッキング位置２０７は好ましくは、第二のロッキング位置２４０に向かい合って配向される。第一のロッキング位置は好ましくは、開口部２０７を規定するところの突起物２０６及び２０８を含む。第二のロッキング位置は好ましくは、開口部２４６を規定するところの突起物２４２及び２４４を含む。ピン２０４は好ましくは、互いに向かい合って配向された二つの突出部２１１及び２５０を含む。各突出部は好ましくは、丸くされた面と平らな面を含む。
【００９６】
ピンは好ましくは、既に述べたようなピンの下側の部分に形成された一対の溝を持つ。ピンの溝は好ましくは、ピンの側面２２４及び２２６に沿って位置付けられる。ピンがロックされていない位置に位置付けられるとき（図２６ａに示されている）、溝は、側面２２４及び２２６に沿いケーブル２０５に平行に延びる。この配向は、ケーブル２０５がコネクターを通って自由に動くことを可能にする。ロックされていない位置において、突出部は好ましくは、ロッキング位置２０７及び２４０から離れて配向されれる。突出部２１１及び２５０は好ましくは、側面２２４及び２２６に垂直な側面に位置付けられる。
【００９７】
ケーブルがコネクター内に確保されるべきとき、ピンは、反時計回り方向に回転され得る。この動きは、ピンの側面２２４及び２２６を及び従って溝を、ケーブル２０５に直角な位置に好ましくは動かす。ケーブルは好ましくは、ピンの下側部分の溝のない部分と接触し、そして、コネクターの内側の導管に押し付けられる。この押し付け力は、コネクター内にケーブルを確保し得る。ピンがこのロッキング配向に位置されるとき、突出部２１１及び２５０は、ロッキング部分２０７及び２４０の開口部内に移動する。このように、ピンを回転することによりケーブルを確保する動作は好ましくは、ケーブルを確保するための方向と反対の方向（即ち、時計回り方向）における回転が禁止されるような位置に突出部を動かす。
【００９８】
二つの突起物及び二つのロッキング部分の使用は、ケーブルがコネクター本体内に確保されるときはいつでも、ピンがロックされた位置に確保され得ると言う利点を有する。加えて、二つの突起物は、ピンがロックされた位置にあるとき、時計回り方向のピンの回転に対する高められた抵抗を与え得る。
【００９９】
本発明の種々の態様の更なる改変及び替りの実施態様は、この明細書の記述から当業者に明らかであろう。従って、本明細書の記述は、単に例示として解釈されるべきであり、かつ本発明を実行する一般的方法を当業者に教示する目的のためである。本明細書に示されかつ述べられた発明の形態は、本発明の好ましい実施態様と考えられるべきであると理解されなければならない。多くの要素及び物質が、本明細書において説明されかつ述べられたものと取り換えられることができ、部品及びプロセスは逆にされることができ、かつ本発明のある特徴は独立して利用されることができ、全ては、本発明のこの説明の利点を持った後に当業者に明らかであろう。特許請求の範囲に述べられた本発明の精神及び範囲から離れることなしに、本明細書において述べられた要素を変更することができる。
【図面の簡単な説明】
【０１００】
【図１】図１は、コネクターの側面図を示す。
【図２】図２は、ケーブルの斜視図を示す。
【図３】図３は、側面から見たコネクターの断面図を示す。
【図４】図４は、前面から溝に向って見たピンの断面図を示す。
【図５】図５は、ピンの側面図を示す。
【図６】図６は、前面から見たピンの断面図を示す。
【図７】図７は、ケーブルが出るところの第二の面と反対側の第一の面に入ることによりループを形成しているケーブルを有するコネクターの平面図を示す。
【図８】図８は、ケーブルが出るところの面と同一の面に入ることによりループを形成しているケーブルを有するコネクターの平面図を示す。
【図９】図９は、ケーブルの一部がピンの開口部に存在する状態にある、確保された位置におけるコネクターをコネクターの側面から見た断面図を示す。
【図１０】図１０は、ケーブルがコネクター本体内で動き得る状態のコネクターを側面から見た断面図を示す。
【図１１】図１１は、ケーブルがコネクター本体内で固定位置に確保された状態のコネクターを側面から見た断面図を示す。
【図１２】図１２は、ケーブルがコネクター本体内で動き得る状態のコネクターを底面から見た断面図を示す。
【図１３】図１３は、ケーブルがコネクター本体内で固定位置に確保された状態のコネクターを底面から見た断面図を示す。
【図１４】図１４、テンショナーの斜視図を示す。
【図１５】図１５は、テンショナーの本体を側面から見た断面図を示す。
【図１６】図１６は、テンショナーの本体の背面図を示す。
【図１７】図１７は、テンショナーの側面から見た断面図を示す。
【図１８】図１８は、テンショナーのシャフトの先端を前方から見た図を示す。
【図１９】図１９は、シャフトの先端を側面から見た図を示す。
【図２０】図２０は、テンショナーのブッシングカバーをブッシングカバーの側面から見た断面図を示す。
【図２１】図２１は、ブッシングカバーの側面図を示す。
【図２２】図２２は、ブッシングカバーの平面図を示す。
【図２３】図２３は、ケーブルクランプを伴うブッシングカバーを側面から見た部分断面図を示す。
【図２４ａ】図２４ａは、単一のロッキング突起物を持つコネクターの斜視図を示す。
【図２４ｂ】図２４ｂは、開口部を規定する一対の突起物を持つコネクターの斜視図を示す。
【図２５ａ】図２５ａは、ロックされていない位置における単一のロッキング突起物を持つコネクターの平面図を示す。
【図２５ｂ】図２５ｂは、ロックされた位置における単一のロッキング突起物を持つコネクターの平面図を示す。
【図２６ａ】図２６ａは、ロックされていない位置における一対のロッキング突起物を持つコネクターの平面図を示す。
【図２６ｂ】図２６ｂは、ロックされたにおける一対のロッキング突起物を持つコネクターの平面図を示す。
【図１】
2006051377.tif 000003
【図２】
2006051377.tif 000004
【図３】
2006051377.tif 000005
【図４】
2006051377.tif 000006
【図５】
2006051377.tif 000007
【図６】
2006051377.tif 000008
【図７】
2006051377.tif 000009
【図８】
2006051377.tif 000010
【図９】
2006051377.tif 000011
【図１０】
2006051377.tif 000012
【図１１】
2006051377.tif 000013
【図１２】
2006051377.tif 000014
【図１３】
2006051377.tif 000015
【図１４】
2006051377.tif 000016
【図１５】
2006051377.tif 000017
【図１６】
2006051377.tif 000018
【図１７】
2006051377.tif 000019
【図１８】
2006051377.tif 000020
【図１９】
2006051377.tif 000021
【図２０】
2006051377.tif 000022
【図２１】
2006051377.tif 000023
【図２２】
2006051377.tif 000024
【図２３】
2006051377.tif 000025
【図２４ａ】
2006051377.tif 000026
【図２４ｂ】
2006051377.tif 000027
【図２５ａ】
2006051377.tif 000028
【図２５ｂ】
2006051377.tif 000029
【図２６ａ】
2006051377.tif 000030
【図２６ｂ】
2006051377.tif 000031
【手続補正書】
【提出日】平成17年10月24日(2005.10.24)
【手続補正１】
【補正対象書類名】特許請求の範囲
【補正対象項目名】全文
【補正方法】変更
【補正の内容】
【特許請求の範囲】
【請求項１】
内部空洞を含む本体；
使用中に本体を通りヒトの骨の一部を係合するためのループを形成するように適合されているケーブル；および
本体に関して使用中に内部空洞内で、ケーブルの一部を確保するための第一位置に配置可能であり、それによって使用中にループの大きさを固定するピン、ここで、ピンは第二位置へ回転可能であり、その結果、使用中にループの大きさを変えることを可能にするためにケーブルが本体に関して移動可能である；
を含むコネクター。
【請求項２】
ケーブルが、細長くされ、かつ実質的に可撓性の主要部分をさらに含み、主要部分が撚られた金属ワイヤを含む、請求項１に記載のコネクター。
【請求項３】
ケーブルが、ヒトの骨の一部の周囲にケーブルを案内するように適合された誘導部分をさらに含む、請求項１に記載のコネクター。
【請求項４】
ケーブルが誘導部分をさらに含み、ここで誘導部分は撚られていないワイヤを含み、かつ誘導部分はヒトの骨の一部の周囲にケーブルを案内するように適合されている、請求項１に記載のコネクター。
【請求項５】
ケーブルがケーブルの一端に位置した先端をさらに含み、先端がケーブルの直径より大きい直径を含む、請求項１に記載のコネクター。
【請求項６】
ケーブルがケーブルの一端に位置した先端をさらに含み、先端が内部空洞の一部より大きい直径を含む、請求項１に記載のコネクター。
【請求項７】
本体が、本体の第一側面から延びる第一アームおよび本体の第二側面から延びる第二アームをさらに含み、本体が実質的にＵ型であるように第二側面が第一側面と向かい合って位置している、請求項１に記載のコネクター。
【請求項８】
本体が、本体の第一側面から延びる第一アームおよび本体の第二側面から伸びる第二アームをさらに含み、第二側面が第一側面と向かい合って位置している、請求項１に記載のコネクター。
【請求項９】
本体が、第一アームおよび第二アームをさらに含み、ピンが内部空洞内で回転するように構成され、そして使用中に内部空洞内でのピンの回転が妨げられるようにそれらのアームが位置している、請求項１に記載のコネクター。
【請求項１０】
本体が、第一アームおよび第二アームをさらに含み、ピンが、内部空洞内で回転するように構成され、が第一アームと第二アームとの間で本体全体を長さ方向に通る、請求項１に記載のコネクター。
【請求項１１】
ピンが上側部分および下側部分をさらに含み、上側部分が下側部分の直径より実質的に大きい直径を含む、請求項１に記載のコネクター。
【請求項１２】
ピンが下側部分をさらに含み、下側部分が内部空洞の直径より実質的に小さい直径を含む、請求項１に記載のコネクター。
【請求項１３】
ピンが上側部分をさらに含み、上側部分が内部空洞の直径より実質的に大さい直径を含む、請求項１に記載のコネクター。
【請求項１４】
ピンが上側部分をさらに含み、上側部分は、ピンの向かい合う側面上に距離を置いて位置された少なくとも２個の実質的に平らなエッジを含み、ピンの上側部分が本体内にフィットする大きさである、請求項１に記載のコネクター。
【請求項１５】
ピンが上側部分をさらに含み、上側部分は、ピンの向かい合う側面上に距離を置いて位置された少なくとも２個の実質的に平らなエッジを含み、本体が本体の向かい合う側面から延びる第一アームおよび第二アームを含み、ピンの上側部分が第一アームと第二アームとの間にフィットする大きさである、請求項１に記載のコネクター。
【請求項１６】
ピンが内部空洞内に確保されるように適合されている、請求項１に記載のコネクター。
【請求項１７】
使用中に本体に関してケーブルの一部を確保するために、ピンが第二位置から第一位置へ回転するように適合されている、請求項１に記載のコネクター。
【請求項１８】
内部空洞、第一導管および第二導管を含む本体、ここで、少なくとも一方の導管は内部空洞と通じている；
使用中にヒトの骨の一部を係合するためのループを形成するために本体を通るように適合されたケーブル；および
開口部を含むピン、ここで、ピンは内部空洞内で配置可能であり、ピンは使用中に内部空洞内で、本体に関してケーブルの一部を確保するための第一位置に配置可能であり、それによって使用中にループの大きさを固定し、かつピンは第二位置へ回転可能であり、その結果、使用中にループの大きさを変えることを可能にするためにケーブルが本体に関して移動可能である；
を含むコネクター。
【請求項１９】
ケーブルの直径が導管の幅より実質的に小さい、請求項１８に記載のコネクター。
【請求項２０】
ケーブルがケーブルの一端に位置した先端をさらに含み、先端が導管の幅より実質的に大きい直径を含む、請求項１８に記載のコネクター。
【請求項２１】
ケーブルがケーブルの一端に位置した先端をさらに含み、先端が開口部の下側部分の直径より実質的に大きい直径を含む、請求項１８に記載のコネクター。
【請求項２２】
本体が第一アームおよび第二アームをさらに含み、内部空洞が第一アームと第二アームとの間の本体全体を長さ方向に通り、内部空洞が導管に対して実質的に垂直に配位している、請求項１８に記載のコネクター。
【請求項２３】
導管が本体を横方向に通って内部空洞と通じており、導管が内部空洞に対して実質的に垂直に配位している、請求項１８に記載のコネクター。
【請求項２４】
内部空洞が、導管の一方と内部空洞との間に位置した少なくとも１個の開き口を含み、ケーブルが導管の一方を通り、使用中にケーブルの一部が開き口を通って内部空洞の中に延びる、請求項１８に記載のコネクター。
【請求項２５】
ピンが第一の溝および第二の溝をさらに含み、第一および第二の溝はピンの下側部分の向かい合う側面に位置している、請求項１８に記載のコネクター。
【請求項２６】
ピンが溝をさらに含み、溝はケーブルの直径より実質的に大きい幅を有し、溝は使用中にケーブルがピンを通り過ぎて自由に動くことを可能にするように適合されている、請求項１８に記載のコネクター。
【請求項２７】
ピンが第一の溝および第二の溝をさらに含み、それらの溝は、使用中に導管によって規定される平面にあるように適合されている、請求項１８に記載のコネクター。
【請求項２８】
ピンが第一の溝および第二の溝をさらに含み、それらの溝は使用中に第一導管および第二導管と一直線に並ぶように適合され、これらの導管と一直線上にある溝は使用中にケーブルが本体を通って移動することを可能にする、請求項１８に記載のコネクター。
【請求項２９】
ピンが第一の溝および第二の溝をさらに含み、それらの溝は使用中に第一導管および第二導管に対して垂直であるように適合され、ピンは、溝がそれらの導管に対して垂直に配位されたとき、本体を通るケーブルの移動を阻止するように構成されている、請求項１８に記載のコネクター。
【請求項３０】
ピンが下側部分をさらに含み、下側部分は、ケーブルが本体内に確保されるようにケーブルを導管の一方に対して押しつけるように適合されている、請求項１８に記載のコネクター。
【請求項３１】
開口部がピン全体を長さ方向に通って延びている、請求項１８に記載のコネクター。
【請求項３２】
開口部が上側部分および下側部分を含み、上側部分が下側部分より大きい直径を含む、請求項１８に記載のコネクター。
【請求項３３】
開口部が上側部分を含み、上側部分は、使用中にケーブルが開口部内で移動することを可能にするためにケーブルの直径より実質的に大きい直径を含む、請求項１８に記載のコネクター。
【請求項３４】
開口部が上側部分を含み、上側部分がケーブルの先端を受けるように形成されている、請求項１８に記載のコネクター。
【請求項３５】
開口部が上側部分を含み、上側部分が、ピンへねじれ力を付与するように適合されたデバイスと結合するように形成されている、請求項１８に記載のコネクター。
【請求項３６】
開口部が上側部分を含み、上側部分が実質的に六角形の形状である、請求項１８に記載のコネクター。
【請求項３７】
ケーブルが導管内にある間、ケーブルの一部を本体に関して確保するために、ピンが第二位置から第一位置へ回転するように適合されている、請求項１８に記載のコネクター。
【請求項３８】
ケーブルが開口部および導管を通ってループを形成するように適合されている、請求項１８に記載のコネクター。
【請求項３９】
ケーブルが第一部分および第二部分を含み、ケーブルの第一部分が第一導管内で配置可能であり、ケーブルの第二部分が第二導管内で配置可能であり、使用中に第二部分が第一部分に関して実質的に平行の配位に配置可能である、請求項１８に記載のコネクター。
【請求項４０】
ケーブルが第一部分および第二部分を含み、第一部分が第一導管内で配置可能であり、ケーブルの第二部分が開口部内で配置可能であり、使用中にループを形成するためにケーブルの第二部分がケーブルの第一部分に関して実質的に垂直に配位している、請求項１８に記載のコネクター。
【請求項４１】
ケーブルが、ケーブルの第一部分および第二部分が互いに実質的に平行に配位するように第一配置で本体内に配置可能であり、かつ、ケーブルが、ケーブルの第一部分および第二部分が互いに実質的に垂直に配位するように第二配置で本体内に配置可能である、請求項１に記載のコネクター。
【請求項４２】
ケーブルが、ケーブルの第一部分が第一導管内に配置され、ケーブルの第二部分が第二導管内に配置され、第一部分および第二部分が互いに実質的に平行に配位するように第一配置で本体内に配置可能であり、かつ、ケーブルが、ケーブルの第一部分が第一導管内に配置され、ケーブルの第二部分が開口部内に配置され、第一部分および第二部分が互いに実質的に垂直に配位するように第二配置で本体内に配置可能である、請求項１８に記載のコネクター。
【請求項４３】
ヒトの骨がヒトの脊椎骨である、請求項１に記載のコネクター。
【請求項４４】
ヒトの骨がヒトの脊椎骨である、請求項１８に記載のコネクター。
【手続補正３】
【補正対象書類名】明細書
【補正対象項目名】０００１
【補正方法】変更
【補正の内容】
【０００１】
本発明は広く、外科用ケーブルシステム等に関する。より詳細には、本発明の一実施態様は、ヒトの骨の一部分の回りに外科用ケーブルを確保するように適合されたコネクターに関する。
【手続補正４】
【補正対象書類名】明細書
【補正対象項目名】００４３
【補正方法】変更
【補正の内容】
【００４３】
図４に示されているように、ピン２２は好ましくは、上側部分３６及び下側部分４０を含む。ピン２２はまた、上側部分３６と下側部分４０との間に配置された遷移部分３８を含み得る。上側部分３６は好ましくは、下側部分４０の直径より実質的に大きな直径である。上側部分３６は好ましくは、それが内部空洞２８を通過することができないような直径である。ピン２２の下側部分４０は好ましくは、下側部分が内部空洞２８中にフィットし得るような直径である（図３に示されている）。遷移部分３８の直径は、上側部分３６から下側部分４０に向う方向に細くなるように変化され得る。ピンの底部４３は、内部空洞２８中にピン２２を実質的に確保するために外側に反られてよい。